(57)【要約】  少なくとも１種の揮発性アルデヒドと酸触媒とを有する悪臭制御成分を含む、洗剤洗濯構成成分、及び洗濯洗剤の方法が、提供される。
2013513722.tif 000002
【特許請求の範囲】
【請求項１】
洗濯洗剤組成物であって、
（ａ）アニオン性洗浄界面活性剤及び非イオン性界面活性剤を含み、アニオン性洗浄界面活性剤と非イオン性洗浄界面活性剤との重量比が１：１よりも大きく、所望により、前記アニオン性洗浄界面活性剤が、８．０〜９．１の親水性指数（ＨＩＣ）を有する、洗浄性界面活性剤、
（ｂ）界面活性促進ポリマー、
（ｃ）０重量％〜５重量％の脂肪酸、
（ｄ）シリコーン抑泡剤、
（ｅ）構造剤、
（ｆ）酵素、
（ｇ）非ホウ素系酵素安定剤、
（ｈ）悪臭を中和するための２種以上の揮発性アルデヒドを有効量含み、前記２種以上の揮発性アルデヒドが、２−エトキシベンジルアルデヒド、２−イソプロピル−５−メチル−２−ヘキセナール、５−メチルフルフラール、５−メチル−チオフェン−カルボキシアルデヒド、アドキサール、ｐ−アニスアルデヒド、ベンジルアルデヒド、ブルゲオナール、桂皮アルデヒド、サイマール、デシルアルデヒド、フローラルスーパー、フロルヒドラル、ヘリオナル、ラウリルアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス２，４−ノナジエナール、ウンデシルアルデヒド、及びこれらの混合物からなる群から選択される、悪臭制御成分、を含み、
脱イオン水中１ｇ／Ｌの濃度及び２５℃の温度での、ｍＳｃｍ−１単位における前記組成物のイオン強度が、２００ｍＳｃｍ−１未満である、洗濯洗剤組成物。
【請求項２】
前記２種以上の揮発性アルデヒドが、２−エトキシベンジルアルデヒド、２−イソプロピル−５−メチル−２−ヘキセナール、５−メチルフルフラール、桂皮アルデヒド、フローラルスーパー、フロルヒドラル、ｏ−アニスアルデヒド、ピノアセトアルデヒド、トランス−４−デセナール、及びこれらの混合物からなる群から選択される、請求項１に記載の組成物。
【請求項３】
前記２種以上の揮発性アルデヒドが、フローラルスーパー、及びｏ−アニスアルデヒドを含む、請求項１に記載の組成物。
【請求項４】
前記２種以上の揮発性アルデヒドが、約０．００１トール（０．１３３Ｐａ）〜約０．１００トール（１３．３Ｐａ）のＶＰを有する、請求項１に記載の組成物。
【請求項５】
前記２種以上の揮発性アルデヒドが、４群の揮発性アルデヒドのうち第１群の揮発性アルデヒドを、前記悪臭制御成分の約２５重量％で含む、請求項１に記載の組成物。
【請求項６】
前記２種以上の揮発性アルデヒドが、４群の揮発性アルデヒドのうち第２群の揮発性アルデヒドを、前記悪臭制御成分の約１０重量％で含む、請求項１に記載の組成物。
【請求項７】
前記２種以上の揮発性アルデヒドが、４群の揮発性アルデヒドのうち第３群の揮発性アルデヒドを、前記悪臭制御成分の約１０重量％〜約３０重量％で含む、請求項１に記載の組成物。
【請求項８】
前記２種以上の揮発性アルデヒドが、４群の揮発性アルデヒドのうち第４群の揮発性アルデヒドを、前記悪臭制御成分の約３５重量％〜約６０重量％で含む、請求項１に記載の組成物。
【請求項９】
前記２種以上の揮発性アルデヒドが、アコードＡ、アコードＢ、アコードＣ、及びこれらの混合物からなる群から選択される、請求項１に記載の組成物。
【請求項１０】
前記２種以上の揮発性アルデヒドが、前記悪臭制御成分の約１重量％〜約１０重量％のアコードＡを含む、請求項１に記載の組成物。
【請求項１１】
前記組成物が、約２よりも大きいｐＨを有する、請求項１に記載の組成物。
【請求項１２】
前記２種以上の揮発性アルデヒドが、約０．００１トール（０．１３３Ｐａ）〜約０．１００トール（１３．３Ｐａ）のＶＰを有する３種以上の揮発性アルデヒドを含む、請求項１に記載の組成物。
【請求項１３】
前記２種以上の揮発性アルデヒドが、前記洗濯洗剤組成物の約０．０１５重量％〜約１重量％の量で存在する、請求項１に記載の組成物。
【請求項１４】
前記悪臭制御成分が、２５℃で約０．０１〜約１３の蒸気圧を有する酸触媒を更に含む、請求項１に記載の組成物。
【請求項１５】
前記組成物が、非錯体化シクロデキストリンを更に含む、請求項１に記載の組成物。
【請求項１６】
前記組成物が、亜鉛塩、銅塩、及びこれらの混合物からなる群から選択される水溶性金属塩を更に含む、請求項１に記載の組成物。
【請求項１７】
洗濯洗剤組成物であって、
（ａ）アニオン性洗浄界面活性剤及び非イオン性界面活性剤を含み、アニオン性洗浄界面活性剤と非イオン性洗浄界面活性剤との重量比が１：１よりも大きい、洗浄性界面活性剤、
（ｂ）界面活性促進ポリマー、
（ｃ）０重量％〜１０重量％の脂肪酸、
（ｄ）シリコーン抑泡剤、
（ｅ）構造剤、
（ｆ）酵素、
（ｇ）非ホウ素系酵素安定剤、及び
（ｈ）悪臭制御成分であって、
（ｉ）少なくとも１種の揮発性アルデヒドと、
（ｉｉ）２５℃で約０．０１〜約１３の蒸気圧を有する酸触媒と、を含む悪臭制御成分、を含み、
脱イオン水中１ｇ／Ｌの濃度及び２５℃の温度での、ｍＳｃｍ−１単位における前記組成物のイオン強度が、２００ｍＳｃｍ−１未満である、洗濯洗剤組成物。
【請求項１８】
前記少なくとも１種の揮発性アルデヒドが、約０．００１〜約５０トール（０．１３３〜約６，６６６．１Ｐａ）のＶＰを有する、請求項１７に記載の組成物。
【請求項１９】
前記少なくとも１種の揮発性アルデヒドが、約０．００１トール〜約１５トール（０．１３３〜約１，９９９．８Ｐａ）のＶＰを有する、請求項１７に記載の組成物。
【請求項２０】
前記少なくとも１種の揮発性アルデヒドが、２−エトキシベンジルアルデヒド、２−イソプロピル−５−メチル−２−ヘキセナール、５−メチルフルフラール、５−メチル−チオフェン−カルボキシアルデヒド、アドキサール、ｐ−アニスアルデヒド、ベンジルアルデヒド、ブルゲオナール、桂皮アルデヒド、サイマール、デシルアルデヒド、フローラルスーパー、フロルヒドラル、ヘリオナル、ラウリルアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス２，４−ノナジエナール、ウンデシルアルデヒド、及びこれらの混合物からなる群から選択される、請求項１７に記載の組成物。
【請求項２１】
前記少なくとも１種の揮発性アルデヒドが、フローラルスーパー、ｏ−アニスアルデヒド、及びこれらの混合物からなる群から選択される、請求項１７に記載の組成物。
【請求項２２】
前記少なくとも１種の揮発性アルデヒドが、前記悪臭制御成分の約１重量％〜約１０重量％の量で存在する、請求項１７に記載の組成物。
【請求項２３】
前記少なくとも１種の揮発性アルデヒドが、前記洗濯洗剤組成物の約０．０１５重量％〜約１重量％の量で存在する、請求項１７に記載の組成物。
【請求項２４】
前記少なくとも１種の揮発性アルデヒドが、アコードＡ、アコードＢ、アコードＣ、及びこれらの混合物からなる群から選択される揮発性アルデヒドの混合物を含む、請求項１７に記載の組成物。
【請求項２５】
前記少なくとも１種の揮発性アルデヒドが、前記悪臭制御成分の約１重量％〜約５重量％の量で存在し、前記酸触媒が、前記悪臭制御成分の約０．４重量％〜約１．５重量％の量で存在する、請求項１７に記載の組成物。
【請求項２６】
前記酸触媒が、前記悪臭制御成分の約０．１重量％〜約０．４重量％の量で存在する、請求項１７に記載の組成物。
【請求項２７】
前記酸触媒が、２５℃で、約０．０１〜約２トール（１．３３〜約２６６．６Ｐａ）の蒸気圧を有する、請求項１７に記載の組成物。
【請求項２８】
前記酸触媒がカルボン酸である、請求項１７に記載の組成物。
【請求項２９】
前記酸触媒が５−メチルチオフェンカルボン酸である、請求項１７に記載の組成物。
【請求項３０】
布地を洗濯する方法であって、
（ａ）前記布地又は前記対象物上に、請求項１に記載の洗濯洗剤組成物を適用する工程と、
（ｂ）前記組成物を前記布地上に残留させて作用させる工程と、所望により、前記布地若しくは対象物を拭き取る工程、及び／又は機械的攪拌を提供し、次いで前記布地をすすぐ工程と、を含む、方法。
【発明の詳細な説明】
【技術分野】
【０００１】
本発明は、悪臭制御成分を有する洗濯洗剤組成物、及び布地を洗濯する方法に関する。
【背景技術】
【０００２】
洗濯洗剤製品の消費者は、衣類が洗濯製品により清潔になるだけではなく、洗い上がりに悪臭を有さなくなることも所望する。消費者が優れた洗い上がりを特に所望するのは、布地が洗濯された後、初めてその布地を着用するか又は使用する際である。典型的には、洗剤の製造元は、この洗い上がりの改善を得るために、高度な芳香剤技術を開発してきた。
【０００３】
しかしながら、魚及び尿の悪臭などのアミン系悪臭、並びに、ニンニク、玉ねぎ、足、及び糞便の悪臭などのイオウ系悪臭に対抗することは困難であるため、市販の製品によって、全ての臭気が有効に制御されるわけではない。更には、製品が悪臭に顕著に対抗するために必要とされる時間は、悪臭に対する製品の有効性に対する消費者の疑念を生み出す恐れがある。例えば、消費者は、その製品が顕著に悪臭を低減し始める前に、洗濯を終了して、その領域を放置する恐れがある。
【発明の概要】
【発明が解決しようとする課題】
【０００４】
広範囲の悪臭を克服することの困難性により、悪臭を中和、マスキング、又は抑制するための多種多様な製品が生み出されている。アミン系悪臭及びイオウ系悪臭を含めた、広範囲の悪臭を迅速に中和し、それらの悪臭に対して有効でありながら、悪臭を打ち消すために香料を過度に加えるものではない、洗濯洗剤組成物が依然として必要とされている。
【課題を解決するための手段】
【０００５】
本発明は、請求項１によって定義されるような洗濯洗剤組成物に関する。
【図面の簡単な説明】
【０００６】
【図１】様々な酸触媒と組み合わせたチオフェンカルボキシアルデヒドによる、ブタンチオールの減少を示すグラフ。
【発明を実施するための形態】
【０００７】
本発明は、布地を洗濯して、その布地上に認められた悪臭を低減するための、洗濯洗剤組成物に関する。本発明はまた、布地を洗濯する方法にも関する。
【０００８】
Ｉ．洗濯洗剤組成物
本組成物は、任意の形態、例えば、液体、ゲル形態、固体、又はこれらの任意の組み合わせとすることができる。本組成物は、任意の単位用量の形態、例えば、小袋の形態にすることができる。
【０００９】
典型的には、本組成物は、完全に製剤化された洗濯洗剤組成物であって、単に洗濯洗剤組成物の一部分のみを形成する噴霧乾燥粒子又は凝集粒子などの、洗濯洗剤組成物の一部分ではない。しかしながら、追加的なすすぎ添加剤組成物（例えば、布地コンディショナー又は布地エンハンサー）又は主洗浄添加剤組成物（例えば、漂白添加剤）もまた、本発明の方法中に洗濯洗剤組成物と組み合わせて使用されることは、本発明の範囲内である。しかしながら、本発明の方法中に、漂白添加剤組成物を洗濯洗剤組成物と組み合わせて使用しないことが、好ましいものであり得る。
【００１０】
本組成物は、典型的には、洗剤成分を含む。好適な洗剤成分としては、アニオン性洗浄界面活性剤、非イオン性洗浄界面活性剤、カチオン性洗浄界面活性剤、双極性イオン洗浄界面活性剤、両性洗浄界面活性剤、及びこれらの任意の組み合わせを含めた、洗浄性界面活性剤；カルボキシレートポリマー、ポリエチレングリコールポリマー、テレフタレートポリマーなどのポリエステル汚れ放出ポリマー、アミンポリマー、セルロース系ポリマー、移染防止ポリマー、所望により１：４：１の比率のイミダゾールとエピクロロヒドリンとの縮合によって生成される縮合オリゴマーなどの染料固定ポリマー、ヘキサメチレンジアミン誘導体ポリマー、及びこれらの任意の組み合わせを含めた、ポリマー；ゼオライト、リン酸塩、クエン酸塩、及びこれらの任意の組み合わせを含めた、ビルダー；炭酸塩及び／又はケイ酸塩を含めた、緩衝剤並びにアルカリ源；硫酸塩及びバイオ充填剤材料を含めた、充填剤；漂白活性化剤、有効酸素の供給源、予備形成された過酸、漂白触媒、還元漂白剤、及びこれらの任意の組み合わせを含めた、漂白剤；キレート剤；光漂白剤；色調剤；光沢剤；プロテアーゼ、アミラーゼ、セルラーゼ、リパーゼ、キシログルカナーゼ、ペクチン酸リアーゼ、マンナナーゼ、漂白酵素、クチナーゼ、及びこれらの任意の組み合わせを含めた、酵素；粘土、シリコーン、第四級アンモニウム布地柔軟化剤、及びこれらの任意の組み合わせを含めた、柔軟仕上げ剤；ポリエチレンオキシドなどの凝集剤；デンプンにカプセル化された芳香剤のアコード、芳香剤マイクロカプセル、芳香剤充填ゼオライト、ケトン芳香剤原料とポリアミンとのシッフ塩基反応生成物、ブルーミング芳香剤、及びこれらの任意の組み合わせを含めた、芳香剤；ソープリング、層状審美的粒子、ゼラチンビーズ、炭酸塩及び／又は硫酸塩のスペックル、色土、及びこれらの任意の組み合わせを含めた、審美剤；及びこれらの任意の組み合わせが挙げられる。
【００１１】
固体粒子洗濯洗剤組成物：固体洗濯洗剤組成物の場合には、本組成物は、噴霧乾燥ベース洗剤粒子、及び／又は粒塊ベース洗剤粒子、及び／又は押し出しベース洗剤粒子などを、以下の粒子：界面活性剤粒子、界面活性剤造粒物、界面活性剤針状物、界面活性剤麺状物、界面活性剤フレークを含めた、界面活性剤粒子；セルロース系ポリマー粒子、ポリエステル粒子、ポリアミン粒子、テレフタレートポリマー粒子、ポリエチレングリコールポリマー粒子などの、ポリマー粒子；炭酸ナトリウムとケイ酸ナトリウムとのコビルダー粒子、リン酸塩粒子、ゼオライト粒子、ケイ酸塩粒子、炭酸塩粒子などの、ビルダー粒子；硫酸塩粒子などの、充填剤粒子；移染防止粒子；染料固着粒子；過炭酸塩粒子、特に、炭酸塩、硫酸塩、ケイ酸塩、ホウケイ酸塩、又はこれらの任意の組み合わせで被覆された過炭酸塩などの、被覆過炭酸塩粒子、過ホウ酸塩粒子、遷移金属漂白触媒粒子又はオキサジリジニウム系漂白触媒粒子などの漂白触媒粒子、予備形成過酸粒子、特に、被覆された予備形成過酸粒子、並びに漂白活性化剤と、過酸化水素の供給源と、所望により漂白触媒との共漂白粒子などの、漂白剤粒子；オキシベンゼンスルホネート漂白活性化剤粒子及びテトラアセチルエチレンジアミン漂白活性化剤粒子などの、漂白活性化剤粒子；キレート剤粒塊などのキレート剤粒子；色調染料粒子；光沢剤粒子；プロテアーゼ小球、リパーゼ小球、セルラーゼ小球、アミラーゼ小球、マンナナーゼ小球、ペクチン酸リアーゼ小球、キシログルカナーゼ小球、漂白酵素小球、クチナーゼ小球、及びこれらの酵素のいずれかの共小球などの、酵素粒子；モンモリロナイト粒子、あるいは粘土及びシリコーンの粒子などの、粘土粒子；ポリエチレンオキシド粒子などの凝集剤粒子；ワックス粒塊などの、ワックス粒子；芳香剤マイクロカプセル、特にメラミンホルムアルデヒド系芳香剤マイクロカプセル、デンプンにカプセル化された芳香剤のアコード粒子、及びシッフ塩基反応生成物粒子などのプロ芳香剤粒子などの、芳香剤粒子；着色された麺状粒子若しくは針状粒子若しくは薄板状粒子、及び着色ソープリングを含めたソープリングなどの、審美剤粒子；及びこれらの任意の組み合わせから選択された、１種以上の、典型的には、２種以上の、又は３種以上の、又は４種以上の、又は５種以上の、又は６種以上の、又は更には１０種以上の粒子と組み合わせた、複数個の化学的に異なる粒子を含み得る。
【００１２】
液体洗濯洗剤組成物：本組成物はまた、液体形態、例えば、液体又はゲル形態、あるいはこれらの任意の組み合わせにすることができる。本組成物は、任意の単位用量の形態、例えば、小袋の形態にすることができる。
【００１３】
液体洗濯洗剤組成物の場合には、本組成物は、（ｉ）アニオン性洗浄界面活性剤及び非イオン性界面活性剤を含み、アニオン性洗浄界面活性剤の非イオン性洗浄界面活性剤に対する重量比が、１：１よりも大きい、洗浄性界面活性剤、（ｉｉ）界面活性促進ポリマー、（ｉｉｉ）０重量％〜１０重量％の脂肪酸、（ｉｖ）シリコーン抑泡剤、（ｖ）構造材、（ｖｉ）酵素、及び（ｖｉｉ）非ホウ素系酵素安定剤を含み得る。脱イオン水中１ｇ／Ｌの濃度及び２５℃の温度での、ｍＳｃｍ−１単位における本組成物のイオン強度は、好ましくは、２００ｍＳｃｍ−１未満である。本組成物中では、脂肪酸を低濃度に保ち、かつ／又は、アルカノールアミンを使用することが好ましい場合があり、このアルカノールアミンは、好ましくは、９．０未満、又は更に８．０未満のｐＫａを有する第三級アルカノールアミンであり、好ましくは、ある程度の緩衝能を製剤中で提供する、低分子量及び低ｐＫａに由来し、トリ−イソプロパノールアミン（ＴＩＰＡ）、及び／又はトリエタノールアミン（ＴＥＡ）であり、特に好ましくはＴＥＡである。
【００１４】
好ましくは、液体洗濯洗剤組成物は、（ｉ）アニオン性洗浄界面活性剤及び非イオン性界面活性剤を含み、アニオン性洗浄界面活性剤の非イオン性洗浄界面活性剤に対する重量比が、１：１よりも大きく、所望により、アニオン性洗浄界面活性剤が、８．０〜９．１の親水性指数（ＨＩＣ）を有する、洗浄性界面活性剤、（ｉｉ）界面活性促進ポリマー、（ｉｉｉ）０重量％〜５重量％の脂肪酸、（ｉｖ）シリコーン抑泡剤、（ｖ）構造材、（ｖｉ）酵素、及び（ｖｉｉ）非ホウ素系酵素安定剤を含み、脱イオン水中１ｇ／Ｌの濃度及び２５℃の温度での、ｍＳｃｍ−１単位における本組成物のイオン強度が、好ましくは、２００ｍＳｃｍ−１未満である。
【００１５】
洗浄性界面活性剤：本組成物は、典型的には、洗浄性界面活性剤を含む。好適な洗浄性界面活性剤としては、アニオン性洗浄界面活性剤、非イオン性洗浄界面活性剤、カチオン性洗浄界面活性剤、双極性イオン洗浄界面活性剤、両性洗浄界面活性剤、及びこれらの任意の組み合わせが挙げられる。
【００１６】
アニオン性洗浄界面活性剤：好適なアニオン性洗浄界面活性剤としては、サルフェート洗浄性界面活性剤及びスルホネート洗浄性界面活性剤が挙げられる。
【００１７】
好適なスルホネート洗浄性界面活性剤としては、Ｃ１０〜１３アルキルベンゼンスルホネートなどの、アルキルベンゼンスルホネートが挙げられる。好適なアルキルベンゼンスルホネート（ＬＡＳ）は、市販の直鎖アルキルベンゼン（ＬＡＢ）をスルホン化することによって入手可能、又は更に入手されており、好適なＬＡＢとしては、Ｓａｓｏｌより商標名Ｉｓｏｃｈｅｍ（登録商標）で供給されるもの、又はＰｅｔｒｅｓａより商標名Ｐｅｔｒｅｌａｂ（登録商標）で供給されるものなどの、低２−フェニルＬＡＢが挙げられ、他の好適なＬＡＢとしては、Ｓａｓｏｌより商標名Ｈｙｂｌｅｎｅ（登録商標）で供給されるものなどの、高２−フェニルＬＡＢが挙げられる。別の好適なアニオン性洗浄界面活性剤は、ＤＥＴＡＬ触媒プロセスによって得られるアルキルベンゼンスルホネートであるが、ＨＦなどの他の合成経路もまた好適な場合がある。
【００１８】
好適なサルフェート洗浄性界面活性剤としては、Ｃ８〜１８アルキルサルフェート、又は主にＣ１２アルキルサルフェートなどの、アルキルサルフェートが挙げられる。アルキルサルフェートは、ココ及び／又はタローなどの天然源に由来するものとすることができる。あるいは、アルキルサルフェートは、Ｃ１２〜１５アルキルサルフェートなどの合成源に由来するものとすることができる。
【００１９】
別の好適なサルフェート洗浄性界面活性剤は、アルキルエトキシル化サルフェートなどのアルキルアルコキシル化サルフェート、すなわち、Ｃ８〜１８アルキルアルコキシル化サルフェート、又はＣ８〜１８アルキルエトキシル化サルフェートである。このアルキルアルコキシル化サルフェートは、０．５〜２０の、又は０．５〜１０の平均アルコキシル化度を有し得る。このアルキルアルコキシル化サルフェートは、典型的には、０．５〜１０の、又は０．５〜７の、又は０．５〜５の、又は０．５〜３の平均エトキシル化度を有する、Ｃ８〜１８アルキルエトキシル化サルフェートとすることができる。
【００２０】
アルキルサルフェート、アルキルアルコキシル化サルフェート、及びアルキルベンゼンスルホネートは、直鎖又は分枝鎖、置換又は非置換のものとすることができる。
【００２１】
アニオン性洗浄界面活性剤は、中鎖分岐状アルキルサルフェート及び／又は中鎖分岐状アルキルベンゼンスルホネートなどの、中鎖分岐状アニオン性洗浄界面活性剤とすることができる。中鎖分岐は、典型的には、メチル基及び／又はエチル基などの、Ｃ１〜４アルキル基である。
【００２２】
別の好適なアニオン性洗浄界面活性剤は、アルキルエトキシカルボキシレートである。
【００２３】
アニオン性洗浄界面活性剤は、典型的には塩形態で存在し、典型的には、好適なカチオンと錯体化している。好適な対イオンとしては、Ｎａ＋及びＫ＋、Ｃ１〜Ｃ６アルカノールアンモニウムなどの置換アンモニウム、例えば、モノエタノールアミン（ＭＥＡ）、トリエタノールアミン（ＴＥＡ）、ジエタノールアミン（ＤＥＡ）、及びこれらの任意の組み合わせが挙げられる。
【００２４】
非イオン性洗浄界面活性剤：好適な非イオン性洗浄界面活性剤は、Ｓｈｅｌｌ製のＮＥＯＤＯＬ（登録商標）非イオン性界面活性剤などの、Ｃ８〜Ｃ１８アルキルエトキシレート；所望によりアルコキシレート単位が、エチレンオキシ単位、プロピレンオキシ単位、又はこれらの混合物である、Ｃ６〜Ｃ１２アルキルフェノールアルコキシレート；ＢＡＳＦ製のＰｌｕｒｏｎｉｃ（登録商標）などの、エチレンオキシド／プロピレンオキシドブロックポリマーとの、Ｃ１２〜Ｃ１８アルコール縮合物及びＣ６〜Ｃ１２アルキルフェノール縮合物；Ｃ１４〜Ｃ２２中鎖分岐鎖アルコール；典型的には、１〜３０の平均アルコキシル化度を有する、Ｃ１４〜Ｃ２２中鎖分岐鎖アルキルアルコキシレート；アルキルポリグリコシドなどの、アルキル多糖類；ポリヒドロキシ脂肪酸アミド；エーテル末端保護ポリ（オキシアルキル化）アルコール界面活性剤；及びこれらの混合物からなる群から選択される。
【００２５】
好適な非イオン性洗浄界面活性剤は、アルキルポリグルコシド及び／又はアルキルアルコキシル化アルコールである。
【００２６】
好適な非イオン性洗浄界面活性剤としては、Ｃ８〜１８アルキルアルコキシル化アルコール、又はＣ８〜１８アルキルエトキシル化アルコールなどの、アルキルアルコキシル化アルコールが挙げられる。このアルキルアルコキシル化アルコールは、０．５〜５０の、又は１〜３０の、又は１〜２０の、又は１〜１０の平均アルコキシル化度を有し得る。このアルキルアルコキシル化アルコールは、典型的には、１〜１０の、又は１〜７の、又は１〜５の、又は３〜７の平均エトキシル化度を有する、Ｃ８〜１８アルキルエトキシル化アルコールとすることができる。このアルキルアルコキシル化アルコールは、直鎖又は分枝鎖、かつ置換又は非置換のものとすることができる。
【００２７】
好適な非イオン性洗浄界面活性剤としては、次式を有する二級アルコール系洗浄性界面活性剤が挙げられる。
【化１】
2013513722.tif 000003
式中、Ｒ１＝直鎖又は分枝鎖、置換又は非置換、飽和又は不飽和の、Ｃ２〜８アルキル；
Ｒ２＝直鎖又は分枝鎖、置換又は非置換、飽和又は不飽和の、Ｃ２〜８アルキル；
Ｒ１＋Ｒ２部分に存在する炭素原子の総数は、７〜１３の範囲内である；
ＥＯ／ＰＯは、エトキシ、プロポキシ、又はこれらの混合物から選択されるアルコキシ部分であり、所望により、このＥＯ／ＰＯアルコキシ部分は、ランダム配置又はブロック配置である；
ｎは平均アルコキシル化度であり、４〜１０の範囲内にある。
【００２８】
他の好適な非イオン性洗浄界面活性剤としては、ＢＡＳＦより入手可能なＰｌｕｒａｆａｃ（登録商標）シリーズの界面活性剤などの、ＥＯ／ＰＯブロックコポリマー界面活性剤、及びアルキルＮ−メチルグルコースアミドなどの、糖由来の界面活性剤が挙げられる。
【００２９】
カチオン性洗浄界面活性剤：好適なカチオン性洗浄界面活性剤としては、アルキルピリジニウム化合物、アルキル第四級アンモニウム化合物、アルキル第四級ホスホニウム化合物、アルキル第三級スルホニウム化合物、及びこれらの混合物が挙げられる。
【００３０】
好適なカチオン性洗浄界面活性剤は、次の一般式を有する第四級アンモニウム化合物である。
【００３１】
（Ｒ）（Ｒ１）（Ｒ２）（Ｒ３）Ｎ＋Ｘ−
式中、Ｒは直鎖又は分岐鎖、置換又は非置換の、Ｃ６〜１８アルキル又はアルケニル部分であり、Ｒ１及びＲ２は、独立して、メチル又はエチル部分から選択され、Ｒ３は、ヒドロキシル、ヒドロキシメチル、又はヒドロキシエチル部分であり、Ｘは、電気的中性を提供するアニオンであり、好適なアニオンとしては、塩化物などのハロゲン化物、サルフェート、及びスルホネートが挙げられる。好適なカチオン性洗浄界面活性剤は、モノＣ６〜１８アルキルモノヒドロキシエチルジメチル第四級アンモニウムクロリドである。好ましいカチオン性洗浄界面活性剤は、モノＣ８〜１０アルキルモノヒドロキシエチルジメチル第四級アンモニウムクロリド、モノＣ１０〜１２アルキルモノヒドロキシエチルジメチル第四級アンモニウムクロリド、及びモノＣ１０アルキルモノヒドロキシエチルジメチル第四級アンモニウムクロリドである。
【００３２】
双極性及び／又は両性の洗浄性界面活性剤：好適な双極性及び／又は両性の洗浄性界面活性剤としては、ドデシルジメチルアミンＮ−オキシドなどのアミンオキシド、アルカノールアミンスルホベタイン、ココ−アミドプロピルベタイン、ＨＮ＋−Ｒ−ＣＯ２−系界面活性剤（式中、Ｒは、アルキル、アルコキシ、アリールなどの任意の架橋基とすることができる）、又はアミノ酸が挙げられる。
【００３３】
ポリマー：好適なポリマーとしては、カルボキシレートポリマー、ポリエチレングリコールポリマー、テレフタレートポリマーなどのポリエステル汚れ放出ポリマー、アミンポリマー、セルロース系ポリマー、移染防止ポリマー、所望により１：４：１の比率のイミダゾールとエピクロロヒドリンとの縮合によって生成される縮合オリゴマーなどの染料固定ポリマー、ヘキサメチレンジアミン誘導体ポリマー、及びこれらの任意の組み合わせが挙げられる。
【００３４】
カルボキシレートポリマー：好適なカルボキシレートポリマーとしては、マレアート／アクリレートランダムコポリマー、又はポリアクリレートホモポリマーが挙げられる。このカルボキシレートポリマーは、４，０００Ｄａ〜９，０００Ｄａ、又は６，０００Ｄａ〜９，０００Ｄａの分子量を有する、ポリアクリレートホモポリマーとすることができる。他の好適なカルボキシレートポリマーは、マレイン酸とアクリル酸とのコポリマーであり、４，０００Ｄａ〜９，０００Ｄａの範囲内の分子量を有し得る。
【００３５】
ポリエチレングリコールポリマー：好適なポリエチレングリコールポリマーとしては、（ｉ）ポリエチレングリコールを含む親水性の主鎖、並びに（ｉｉ）Ｃ４〜Ｃ２５アルキル基、ポリプロピレン、ポリブチレン、飽和Ｃ１〜Ｃ６モノカルボン酸のビニルエステル、アクリル酸若しくはメタクリル酸のＣ１〜Ｃ６アルキルエステル、及びこれらの混合物からなる群から選択される疎水性の側鎖、を含む、ランダムグラフトコポリマーが挙げられる。好適なポリエチレングリコールポリマーは、ランダムグラフト重合ポリビニルアセテート側鎖を有するポリエチレングリコール主鎖を有する。このポリエチレングリコール主鎖の平均分子量は、２，０００Ｄａ〜２０，０００Ｄａ、又は４，０００Ｄａ〜８，０００Ｄａの範囲内とすることができる。ポリエチレングリコール主鎖とポリビニルアセテート側鎖との分子量の比率は、１：１〜１：５、又は１：１．２〜１：２の範囲内とすることができる。エチレンオキシドの単位当りの、グラフト部位の平均数は、１未満、又は０．８未満とすることができ、エチレンオキシド単位当りの、グラフト部位の平均数は、０．５〜０．９の範囲内とすることができ、あるいはエチレンオキシドの単位当りの、グラフト部位の平均数は、０．１〜０．５、又は０．２〜０．４の範囲内とすることができる。好適なポリエチレングリコールポリマーは、Ｓｏｋａｌａｎ  ＨＰ２２である。
【００３６】
ポリエステル汚れ放出ポリマー：好適なポリエステル汚れ放出ポリマーは、以下の構造（Ｉ）、構造（ＩＩ）、又は構造（ＩＩＩ）のうちの１つによって定義される構造を有する。
【００３７】
（Ｉ）−［（ＯＣＨＲ１−ＣＨＲ２）ａ−Ｏ−ＯＣ−Ａｒ−ＣＯ−］ｄ
（ＩＩ−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
式中、
ａ、ｂ、及びｃは、１〜２００であり；
ｄ、ｅ、及びｆは、１〜５０であり；
Ａｒは、１，４−置換フェニレンであり；
ｓＡｒは、位置５をＳＯ３Ｍｅにより置換された、１，３−置換フェニレンであり；
Ｍｅは、Ｌｉ、Ｋ、Ｍｇ／２、Ｃａ／２、Ａｌ／３、アンモニウム、モノ−、ジ−、トリ−、若しくはテトラアルキルアンモニウム（アルキル基は、Ｃ１〜Ｃ１８アルキル又はＣ２〜Ｃ１０ヒドロキシアルキル）、又はこれらの任意の混合物であり；
Ｒ１、Ｒ２、Ｒ３、Ｒ４、Ｒ５、及びＲ６は、独立して、Ｈ、又はＣ１〜Ｃ１８  ｎ−若しくはイソ−アルキルから選択され；
Ｒ７は、直鎖若しくは分枝鎖Ｃ１〜Ｃ１８アルキル、又は直鎖若しくは分枝鎖Ｃ２〜Ｃ３０アルケニル、又は炭素原子を５〜９個有するシクロアルキル基、又はＣ８〜Ｃ３０アリール基、又はＣ６〜Ｃ３０アリールアルキル基である。好適なポリエステル汚れ放出ポリマーは、上記の式（Ｉ）又は式（ＩＩ）の構造を有する、テレフタレートポリマーである。
【００３８】
好適なポリエステル汚れ放出ポリマーとしては、Ｒｅｐｅｌ−ｏ−ｔｅｘ  ＳＦ２（Ｒｈｏｄｉａ）などの、Ｒｅｐｅｌ−ｏ−ｔｅｘシリーズのポリマー、及び／又はＴｅｘｃａｒｅ  ＳＲＡ３００（Ｃｌａｒｉａｎｔ）などの、Ｔｅｘｃａｒｅシリーズのポリマーが挙げられる。
【００３９】
アミンポリマー：好適なアミンポリマーとしては、所望によりポリエチレン及び／又はポリプロピレンオキシドブロックを含む、アルコキシル化ポリアルキレンイミンなどの、ポリエチレンイミンポリマーが挙げられる。
【００４０】
セルロース系ポリマー：本組成物は、アルキルセルロース、アルキルアルコキシアルキルセルロース、カルボキシアルキルセルロース、アルキルカルボキシアルキル、及びこれらの任意の組み合わせから選択されるポリマーなどの、セルロース系ポリマーを含み得る。好適なセルロース系ポリマーは、カルボキシメチルセルロース、メチルセルロース、メチルヒドロキシエチルセルロース、メチルカルボキシメチルセルロース、及びこれらの混合物から選択される。カルボキシメチルセルロースは、０．５〜０．９のカルボキシメチル置換度、及び１００，０００Ｄａ〜３００，０００Ｄａの分子量を有し得る。別の好適なセルロース系ポリマーは、Ｆｉｎｎｆｉｘ  ＳＨ−１（ＣＰ  Ｋｅｌｃｏ）などの、疎水変性カルボキシメチルセルロースである。
【００４１】
他の好適なセルロース系ポリマーは、０．０１〜０．９９の置換度（ＤＳ）、及びＤＳ＋ＤＢが少なくとも１．００であるか、若しくはＤＢ＋２ＤＳ−ＤＳ２が少なくとも１．２０であるような置換度（ＤＳ）を有し得る。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００のＤＳ＋ＤＢを有し得る。好適な置換セルロース系ポリマーは、カルボキシメチルセルロースである。
【００４２】
別の好適な置換セルロース系ポリマーは、カチオン変性ヒドロキシエチルセルロースである。
【００４３】
移染防止ポリマー：好適な移染防止（ＤＴＩ）ポリマーとしては、ポリビニルピロリドン（ＰＶＰ）、ピロリドンとイミダゾリンとのビニルコポリマー（ＰＶＰＶＩ）、ポリビニルＮ−オキシド（ＰＶＮＯ）、及びこれらの任意の混合物が挙げられる。
【００４４】
ヘキサメチレンジアミン誘導体ポリマー：好適なポリマーとしては、典型的には次式を有する、ヘキサメチレンジアミン誘導体ポリマーが挙げられる。
【００４５】
Ｒ２（ＣＨ３）Ｎ＋（ＣＨ２）６Ｎ＋（ＣＨ３）Ｒ２．２Ｘ−
式中、Ｘ−は、好適な対イオン、例えばクロリドであり、Ｒは、２０〜３０の平均エトキシル化度を有する、ポリ（エチレングリコール）鎖である。所望により、ポリ（エチレングリコール）鎖は、独立して、サルフェート基及び／又はスルホネート基で末端保護され、Ｘ−対イオンの数を低減するか、又は（分子当りの平均硫酸化度が２よりも大きい場合には）Ｙ＋対イオン、例えばナトリウムカチオンの導入によって、荷電を平衡化することができる。
【００４６】
ビルダー：好適なビルダーとしては、ゼオライト、リン酸塩、クエン酸塩、及びこれらの任意の組み合わせが挙げられる。
【００４７】
ゼオライトビルダー：本組成物は、典型的には、０重量％〜１０重量％のゼオライトビルダー、又は８重量％まで、又は６重量％まで、又は４重量％まで、又は３重量％まで、又は２重量％まで、又は更に１重量％までのゼオライトビルダーを含む。本組成物は、更には、ゼオライトビルダーを実質的に含まない場合があり、実質的に含まないとは、「意図的に添加されない」ことを意味する。典型的なゼオライトビルダーとしては、ゼオライトＡ、ゼオライトＰ、ゼオライトＭＡＰ、ゼオライトＸ、及びゼオライトＹが挙げられる。
【００４８】
リン酸塩ビルダー：本組成物は、典型的には、０重量％〜１０重量％のリン酸塩ビルダー、又は８重量％まで、又は６重量％まで、又は４重量％まで、又は３重量％まで、又は２重量％まで、又は更に１重量％までのリン酸塩ビルダーを含む。本組成物は、更には、リン酸塩ビルダーを実質的に含まない場合があり、実質的に含まないとは、「意図的に添加されない」ことを意味する。典型的なリン酸塩ビルダーは、トリ−ポリリン酸ナトリウム（ＳＴＰＰ）である。
【００４９】
クエン酸塩：好適なクエン酸塩は、クエン酸ナトリウムである。しかしながら、洗浄溶液中でクエン酸塩を形成することができるクエン酸もまた、本組成物中に組み込むことができる。
【００５０】
緩衝剤及びアルカリ源：好適な緩衝剤及びアルカリ源としては、炭酸塩及び／又はケイ酸塩、並びに／あるいはバーカイトなどの複塩が挙げられる。
【００５１】
炭酸塩：好適な炭酸塩は、炭酸ナトリウム及び／又は重炭酸ナトリウムである。本組成物は、重炭酸塩を含み得る。本組成物は、低濃度の炭酸塩を含むことが好適であり得、例えば、本組成物は、０重量％〜１０重量％の炭酸塩、又は８重量％まで、又は６重量％まで、又は４重量％まで、又は３重量％まで、又は２重量％まで、又は更に１重量％までの炭酸塩を含むことが好適であり得る。本組成物は、更には、炭酸塩を実質的に含まない場合があり、実質的に含まないとは、「意図的に添加されない」ことを意味する。
【００５２】
この炭酸塩は、１００〜５００マイクロメートルの重量平均粒径を有し得る。あるいは、この炭酸塩は、１０〜２５マイクロメートルの重量平均粒径を有し得る。
【００５３】
ケイ酸塩：本組成物は、０重量％〜２０重量％のケイ酸塩、又は１５重量％まで、又は１０重量％まで、又は５重量％まで、又は４重量％まで、又は更に２重量％までのケイ酸塩を含み得、かつ０重量％超、又は０．５重量％以上、又は更に１重量％以上のケイ酸塩を含み得る。このケイ酸塩は、結晶性又は非晶性であってよい。好適な結晶性ケイ酸塩としては、ＳＫＳ−６などの、結晶性層状ケイ酸塩が挙げられる。他の好適なケイ酸塩としては、１．６Ｒケイ酸塩及び／又は２．０Ｒケイ酸塩が挙げられる。好適なケイ酸塩は、ケイ酸ナトリウムである。別の好適なケイ酸塩は、メタケイ酸ナトリウムである。
【００５４】
充填剤：本組成物は、０重量％〜７０重量％の充填剤を含み得る。好適な充填剤としては、硫酸塩及び／又はバイオ充填剤材料が挙げられる。
【００５５】
硫酸塩：好適な硫酸塩は、硫酸ナトリウムである。この硫酸塩は、１００〜５００マイクロメートルの重量平均粒径を有し得るか、あるいは、この硫酸塩は、１０〜４５マイクロメートルの重量平均粒径を有し得る。
【００５６】
バイオ充填剤材料：好適なバイオ充填剤材料は、アルカリ処理及び／又は漂白処理された農業廃棄物である。
【００５７】
漂白剤：本組成物は、漂白剤を含み得る。あるいは、本組成物は、漂白剤を実質的に含まない場合があり、実質的に含まないとは、「意図的に添加されない」ことを意味する。好適な漂白剤としては、漂白活性化剤、有効酸素の供給源、予備形成された過酸、漂白触媒、還元漂白剤、及びこれらの任意の組み合わせが挙げられる。存在する場合には、漂白剤、又は漂白剤の任意の構成成分（例えば予備形成された過酸）は、カプセル化などしてコーティングすることができ、又は尿素若しくはシクロデキストリンを使用するなどしてクラスレート化することができる。
【００５８】
漂白活性化剤：好適な漂白活性化剤としては、テトラアセチルエチレンジアミン（ＴＡＥＤ）；ノナノイルオキシベンゼンスルホネート（ＮＯＢＳ）、カプリルアミドノナノイルオキシベンゼンスルホネート（ＮＡＣＡ−ＯＢＳ）、３，５，５−トリメチルヘキサノイルオキシベンゼンスルホネート（Ｉｓｏ−ＮＯＢＳ）、ドデシルオキシベンゼンスルホネート（ＬＯＢＳ）、及びこれらの任意の混合物などの、オキシベンゼンスルホネート；カプロラクタム；グルコースペンタアセテート（ＰＡＧ）；ニトリル第四級アンモニウム；Ｎ−ノナノイル−Ｎ−メチルアセトアミドなどの、イミド漂白活性化剤；及びこれらの任意の混合物が挙げられる。
【００５９】
有効酸素の供給源：好適な有効酸素（ＡｖＯｘ）の供給源は、過炭酸塩及び／又は過ホウ酸塩などの、過酸化水素の供給源、例えば、過炭酸ナトリウムである。この過酸素の供給源は、炭酸塩、硫酸塩、ケイ酸塩、ホウケイ酸、又はこれらの混合塩を含むこれらの任意の混合物などの、被覆成分によって、少なくとも部分的に被覆するか、又は完全に被覆することができる。好適な過炭酸塩は、流動床プロセスによって、又は結晶化プロセスによって調製することができる。好適な過ホウ酸塩としては、過ホウ酸ナトリウム一水和物（ＰＢ１）、過ホウ酸ナトリウム四水和物（ＰＢ４）、及び発泡性過ホウ酸ナトリウムとしても既知の無水過ホウ酸ナトリウムが挙げられる。他の好適なＡｖＯｘの供給源としては、オキソンなどの、過流酸塩が挙げられる。別の好適なＡｖＯｘの供給源は、過酸化水素である。
【００６０】
予備形成された過酸：好適な予備形成された過酸は、Ｎ，Ｎ−フタロイルアミノ過酸化カプロン酸（ＰＡＰ）である。
【００６１】
漂白触媒：好適な漂白触媒としては、オキサジリジニウム系漂白触媒、遷移金属漂白触媒、及び漂白酵素が挙げられる。
【００６２】
オキサジリジニウム系漂白触媒：好適なオキサジリジニウム系漂白触媒は、次式を有する。
【化２】
2013513722.tif 000004
式中、Ｒ１は、Ｈ、炭素原子を３〜２４個含む分岐鎖アルキル基、及び炭素原子を１〜２４個含む直鎖アルキル基からなる群から選択され、Ｒ１は、炭素原子を６〜１８個含む分岐鎖アルキル基、又は炭素原子を５〜１８個含む直鎖アルキル基とすることができ、Ｒ１は、２−プロピルヘプチル、２−ブチルオクチル、２−ペンチルノニル、２−ヘキシルデシル、ｎ−ヘキシル、ｎ−オクチル、ｎ−デシル、ｎ−ドデシル、ｎ−テトラデシル、ｎ−ヘキサデシル、ｎ−オクタデシル、イソ−ノニル、イソ−デシル、イソ−トリデシル、及びイソ−ペンタデシルからなる群から選択することができ、Ｒ２は、独立して、Ｈ、３〜１２個の炭素原子を含む分岐鎖アルキル基、及び１〜１２個の炭素原子を含む直鎖アルキル基からなる群から選択され、所望により、Ｒ２は、独立して、Ｈ及びメチル基から選択され、ｎは、整数０又は１である。
【００６３】
遷移金属漂白触媒：本組成物は、典型的には、銅、鉄、チタン、ルテニウム、タングステン、モリブデン、及び／又はマンガンのカチオンを含む、遷移金属漂白触媒を含み得る。好適な遷移金属漂白触媒は、マンガン系遷移金属漂白触媒である。
【００６４】
還元漂白剤：本組成物は、還元漂白剤を含み得る。しかしながら、本組成物は、還元漂白剤を実質的に含まない場合があり、実質的に含まないとは、「意図的に添加されない」ことを意味する。好適な還元漂白剤としては、亜硫酸ナトリウム及び／又は二酸化チオ尿素（ＴＤＯ）が挙げられる。
【００６５】
共漂白剤粒子：本組成物は、共漂白剤粒子を含み得る。典型的には、共漂白剤粒子は、漂白活性化剤、及び過酸化物の供給源を含む。過酸化水素の供給源に対して、大量の漂白活性化剤が、共漂白剤粒子中に存在することが、大いに好適であり得る。共漂白剤粒子中に存在する、漂白活性化剤と過酸化水素の供給源との重量比は、少なくとも０．３：１、又は少なくとも０．６：１、又は少なくとも０．７：１、又は少なくとも０．８：１、又は少なくとも０．９：１、又は少なくとも１．０：１．０、又は更に少なくとも１．２：１以上とすることができる。
【００６６】
共漂白剤粒子は、（ｉ）ＴＡＥＤなどの、漂白活性化剤、及び（ｉｉ）過炭酸ナトリウムなどの、過酸化水素の供給源を含み得る。漂白活性化剤は、少なくとも部分的に、又は更には完全に、過酸化水素の供給源を封入することができる。
【００６７】
共漂白剤粒子は、結合剤を含み得る。好適な結合剤は、ポリアクリレートポリマーなどのカルボキシレートポリマー、並びに／あるいは直鎖Ｃ１１〜Ｃ１３アルキルベンゼンスルホネートなどの、非イオン性洗浄界面活性剤及び／又はアニオン性洗浄界面活性剤を含めた、界面活性剤である。
【００６８】
共漂白剤粒子は、オキサジリジニウム系漂白触媒などの、漂白触媒を含み得る。
【００６９】
キレート剤：好適なキレート剤は、ジエチレントリアミン五酢酸、ジエチレントリアミンペンタ（メチルホスホン酸）、エチレンジアミン−Ｎ’Ｎ’−二コハク酸、エチレンジアミン四酢酸、エチレンジアミンテトラ（メチレンホスホン酸）、ヒドロキシエタンジ（メチレンホスホン酸）、及びこれらの任意の組み合わせから選択される。好適なキレート剤は、エチレンジアミン−Ｎ’Ｎ’−二コハク酸（ＥＤＤＳ）及び／又はヒドロキシエタンジホスホン酸（ＨＥＤＰ）である。本洗濯洗剤組成物は、エチレンジアミン−Ｎ’Ｎ’−二コハク酸、又はその塩を含み得る。エチレンジアミン−Ｎ’Ｎ’−二コハク酸は、Ｓ，Ｓエナンチオマーの形態にすることができる。本組成物は、４，５−ジヒドロキシ−ｍ−ベンゼンジスルホン酸二ナトリウム塩を含み得る。好適なキレート剤はまた、カルシウム結晶成長抑制剤とすることもできる。
【００７０】
炭酸カルシウム結晶成長抑制剤：本組成物は、１−ヒドロキシエタンジホスホン酸（ＨＥＤＰ）及びその塩、Ｎ，Ｎ−ジカルボキシメチル−２−アミノペンタン−１，５−二酸及びその塩、２−ホスホノブタン−１，２，４−トリカルボン酸及びその塩、並びにこれらの任意の組み合わせからなる群から選択されるものなどの、炭酸カルシウム結晶成長抑制剤を含み得る。
【００７１】
光漂白剤：好適な光漂白剤は、スルホン化フタロシアニン亜鉛及び／又はアルミニウムである。
【００７２】
色調剤：色調剤（本明細書では、色調染料としても定義される）は、典型的には、布地の白色度の知覚を改善するために、洗浄溶液から布地上に付着するように製剤化される。色調剤は、典型的には、青又は紫である。色調染料は、５５０ｎｍ〜６５０ｎｍ、又は５７０ｎｍ〜６３０ｎｍのピーク吸収波長を有することが好適であり得る。色調剤は、ポリエステル上で５５０ｎｍ〜６５０ｎｍ、又は５７０ｎｍ〜６３０ｎｍのピーク吸収波長を有する単一染料として、人間の目に対して一体となって視覚効果を及ぼす、染料の組み合わせとすることができる。このことは、例えば、赤と緑−青の染料とを混合して、青又は紫の色合いを生じさせることによって、提供することができる。
【００７３】
染料は、典型的には、界面活性剤を含む水性媒体中に可溶性である、有色の有機分子である。染料は、塩基性染料、酸性染料、疎水性染料、直接染料、及び高分子染料、並びに染料結合体の部類から選択することができる。好適なポリマー色調染料は、例えば、Ｍｉｌｌｉｋｅｎ（Ｓｐａｒｔａｎｂｕｒｇ，Ｓｏｕｔｈ  Ｃａｒｏｌｉｎａ，ＵＳＡ）から市販されている。
【００７４】
好適な染料の例は、バイオレットＤＤ、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブラック１、アシッドレッド１７、アシッドブルー２９、ソルベントバイオレット１３、ディスパースバイオレット２７、ディスパースバイオレット２６、ディスパースバイオレット２８、ディスパースバイオレット６３、及びディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、チアゾリウム染料、リアクティブブルー１９、リアクティブブルー１６３、リアクティブブルー１８２、リアクティブブルー９６、Ｌｉｑｕｉｔｉｎｔ（登録商標）Ｖｉｏｌｅｔ  ＣＴ（Ｍｉｌｌｉｋｅｎ（Ｓｐａｒｔａｎｂｕｒｇ，ＵＳＡ））及びアゾ−ＣＭ−セルロース（Ｍｅｇａｚｙｍｅ（Ｂｒａｙ、Ｉｒｅｌａｎｄ））である。他の好適な色調剤は、スルホン化フタロシアニン亜鉛とダイレクトバイオレット９９との結合体などの、色調染料−光漂白結合体である。特に好適な色調剤は、アシッドレッド５２とアシッドブルー８０との組み合わせ、又はダイレクトバイオレット９とソルベントバイオレット１３との組み合わせである。
【００７５】
光沢剤：好適な光沢剤は、光沢剤１５などの、スチルベンである。他の好適な光沢剤は、疎水性光沢剤、及び光沢剤４９である。光沢剤は、３〜３０マイクロメートル、又は３マイクロメートル〜２０マイクロメートル、又は３〜１０マイクロメートルの範囲内の重量平均粒径を有する、微粉化粒子形態にすることができる。光沢剤は、α又はβ結晶形態とすることができる。
【００７６】
酵素：好適な酵素としては、プロテアーゼ、アミラーゼ、セルラーゼ、リパーゼ、キシログルカナーゼ、ペクチン酸リアーゼ、マンナナーゼ、漂白酵素、クチナーゼ、及びこれらの混合物が挙げられる。
【００７７】
酵素に関しては、括弧内に示される受け入れ番号及びＩＤは、Ｇｅｎｂａｎｋ、ＥＭＢＬ、及び／又はＳｗｉｓｓ−Ｐｒｏｔのデータベース内の項目番号を指す。いずれの突然変異体に関しても、標準の１文字のアミノ酸コードが、欠失を表す＊を伴って使用される。ＤＳＭが前に付く受け入れ番号は、Ｄｅｕｔｓｃｈｅ  Ｓａｍｍｌｕｎｇ  ｖｏｎ  Ｍｉｋｒｏｏｒｇａｎｉｓｍｅｎ  ｕｎｄ  Ｚｅｌｌｋｕｌｔｕｒｅｎ  ＧｍｂＨ（Ｍａｓｃｈｅｒｏｄｅｒ  Ｗｅｇ  １ｂ，３８１２４  Ｂｒｕｎｓｗｉｃｋ）（ＤＳＭＺ）に寄託される微生物を指す。
【００７８】
プロテアーゼ。本組成物は、プロテアーゼを含み得る。好適なプロテアーゼとしては、サブチリシン（ＥＣ  ３．４．２１．６２）などの、中性又はアルカリ性の微生物セリンプロテアーゼを含めた、メタロプロテアーゼ及び／又はセリンプロテアーゼが挙げられる。好適なプロテアーゼとしては、動物、植物、又は微生物起源のものが挙げられる。一態様では、そのような好適なプロテアーゼは、微生物起源のものとすることができる。好適なプロテアーゼとしては、前述の好適なプロテアーゼの、化学修飾された又は遺伝子組み換えされた、突然変異体が挙げられる。一態様では、好適なプロテアーゼは、アルカリ性微生物プロテアーゼ又は／及びトリプシン型プロテアーゼなどの、セリンプロテアーゼとすることができる。好適な中性又はアルカリ性プロテアーゼの例としては、以下のものが挙げられる。
【００７９】
（ａ）Ｂａｃｉｌｌｕｓ  ｌｅｎｔｕｓ、Ｂａｃｉｌｌｕｓ  ａｌｋａｌｏｐｈｉｌｕｓ（Ｐ２７９６３，ＥＬＹＡ＿ＢＡＣＡＯ）、Ｂａｃｉｌｌｕｓ  ａｌｋａｌｏｐｈｉｌｕｓ、Ｂａｃｉｌｌｕｓ  ａｍｙｌｏｌｉｑｕｅｆａｃｉｅｎｓ（Ｐ００７８２，ＳＵＢＴ＿ＢＡＣＡＭ）、Ｂａｃｉｌｌｕｓ  ｐｕｍｉｌｕｓ（Ｐ０７５１８）、及びＢａｃｉｌｌｕｓ  ｇｉｂｓｏｎｉｉ（ＤＳＭ１４３９１）などの、Ｂａｃｉｌｌｕｓに由来するものを含めた、ｓｕｂｔｉｌｉｓｉｎｓ（ＥＣ  ３．４．２１．６２）。
【００８０】
（ｂ）フサリウムプロテアーゼ、及びＣｅｌｌｕｍｏｎａｓ（Ａ２ＲＱＥ２）に由来するキモトリプシンプロテアーゼを含めた、トリプシン（例えば、ブタ由来又はウシ由来）などの、トリプシン型又はキモトリプシン型プロテアーゼ。
【００８１】
（ｃ）Ｂａｃｉｌｌｕｓ  ａｍｙｌｏｌｉｑｕｅｆａｃｉｅｎｓに由来するもの（Ｐ０６８３２，ＮＰＲＥ＿ＢＡＣＡＭ）を含めた、メタロプロテアーゼ。
【００８２】
好適なプロテアーゼとしては、ｓｕｂｔｉｌｉｓｉｎ  ３０９（Ｐ２９６００）及び／又はＤＳＭ  ５４８３（Ｐ２９５９９）などの、Ｂａｃｉｌｌｕｓ  ｇｉｂｓｏｎｉｉ若しくはＢａｃｉｌｌｕｓ  Ｌｅｎｔｕｓに由来するものが挙げられる。
【００８３】
好適な市販のプロテアーゼ酵素としては、Ｎｏｖｏｚｙｍｅｓ  Ａ／Ｓ（Ｄｅｎｍａｒｋ）により、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）の商標名で販売されるもの；Ｇｅｎｅｎｃｏｒ  Ｉｎｔｅｒｎａｔｉｏｎａｌにより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）の商標名で販売されるもの；Ｓｏｌｖａｙ  Ｅｎｚｙｍｅｓにより、Ｏｐｔｉｃｌｅａｎ（登録商標）、及びＯｐｔｉｍａｓｅ（登録商標）の商標名で販売されるもの；Ｈｅｎｋｅｌ／Ｋｅｍｉｒａより入手可能なもの、すなわち、ＢＬＡＰ（以下の突然変異体Ｓ９９Ｄ＋Ｓ１０１Ｒ＋Ｓ１０３Ａ＋Ｖ１０４Ｉ＋Ｇ１５９Ｓを有する、Ｐ２９５９９）、並びにＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）を含めた、その変異型（全てＨｅｎｋｅｌ／Ｋｅｍｉｒａ製）；及び花王製のＫＡＰ（突然変異体Ａ２３０Ｖ＋Ｓ２５６Ｇ＋Ｓ２５９Ｎを有する、Ｂａｃｉｌｌｕｓ  ａｌｋａｌｏｐｈｉｌｕｓ  ｓｕｂｔｉｌｉｓｉｎ）が挙げられる。
【００８４】
アミラーゼ：好適なアミラーゼは、細菌由来又は真菌由来のものを含めた、α−アミラーゼである。化学修飾された又は遺伝子組み換えされた、突然変異体（変異型）が含まれる。好適なアルカリ性α−アミラーゼは、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のバチルス種、例えばバチルス種ＮＣＩＢ  １２２８９、ＮＣＩＢ  １２５１２、ＮＣＩＢ  １２５１３、ｓｐ  ７０７、ＤＳＭ  ９３７５、ＤＳＭ  １２３６８、ＤＳＭＺ  ｎｏ．１２６４９、ＫＳＭ  ＡＰ１３７８、ＫＳＭ  Ｋ３６、若しくはＫＳＭ  Ｋ３８などの、バチルスの菌株に由来する。好適なアミラーゼとしては、以下のものが挙げられる。
【００８５】
（ａ）Ｂａｃｉｌｌｕｓ  ｌｉｃｈｅｎｉｆｏｒｍｉｓ（Ｐ０６２７８，ＡＭＹ＿ＢＡＣＬＩ）に由来するα−アミラーゼ、及びその変異型、特に、以下の位置１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４のうちの１つ以上で置換されている変異型。
【００８６】
（ｂ）ＡＡ５６０アミラーゼ（ＣＢＵ３０４５７，ＨＤ０６６５３４）、及びその変異型、特に、以下の位置２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上で置換され、また所望によりＤ１８３＊及びＧ１８４＊の欠失も含む、変異型。
【００８７】
（ｃ）Ｂａｃｉｌｌｕｓ菌種７２２（ＣＢＵ３０４５３、ＨＤ０６６５２６）由来の野生型酵素と、少なくとも９０％の相同性を呈する変異型、特に、１８３及び１８４の位置での欠失を有する変異型。
【００８８】
好適な市販のα−アミラーゼは、ＤＵＲＡＭＹＬ（登録商標）、Ｌｉｑｕｅｚｙｍｅ（登録商標）、Ｔｅｒｍａｍｙｌ（登録商標）、Ｔｅｒｍａｍｙｌ  Ｕｌｔｒａ（登録商標）、Ｎａｔａｌａｓｅ（登録商標）、Ｓｕｐｒａｍｙｌ（登録商標）、Ｓｔａｉｎｚｙｍｅ（登録商標）、Ｓｔａｉｎｚｙｍｅ  Ｐｌｕｓ（登録商標）、Ｆｕｎｇａｍｙｌ（登録商標）、及びＢＡＮ（登録商標）（Ｎｏｖｏｚｙｍｅｓ  Ａ／Ｓ）、Ｂｉｏａｍｙｌａｓｅ（登録商標）及びその変異型（Ｂｉｏｃｏｎ  Ｉｎｄｉａ  Ｌｔｄ．）、Ｋｅｍｚｙｍ（登録商標）ＡＴ９０００（Ｂｉｏｚｙｍ  Ｇｅｓ．ｍ．ｂ．Ｈ，Ａｕｓｔｒｉａ）、Ｒａｐｉｄａｓｅ（登録商標）、Ｐｕｒａｓｔａｒ（登録商標）、Ｏｐｔｉｓｉｚｅ  ＨＴ  Ｐｌｕｓ（登録商標）、Ｅｎｚｙｓｉｚｅ（登録商標）、Ｐｏｗｅｒａｓｅ（登録商標）、及びＰｕｒａｓｔａｒ  Ｏｘａｍ（登録商標）、Ｍａｘａｍｙｌ（登録商標）（Ｇｅｎｅｎｃｏｒ  Ｉｎｔｅｒｎａｔｉｏｎａｌ  Ｉｎｃ．）並びにＫＡＭ（登録商標）（花王、日本）である。好適なアミラーゼは、Ｎａｔａｌａｓｅ（登録商標）、Ｓｔａｉｎｚｙｍｅ（登録商標）、及びＳｔａｉｎｚｙｍｅ  Ｐｌｕｓ（登録商標）である。
【００８９】
セルラーゼ：本組成物は、セルラーゼを含み得る。好適なセルラーゼとしては、細菌由来又は真菌由来のセルラーゼが挙げられる。化学修飾された変異体又は改質されたタンパク質変異体が含まれる。好適なセルラーゼとしては、Ｂａｃｉｌｌｕｓ、Ｐｓｅｕｄｏｍｏｎａｓ、Ｈｕｍｉｃｏｌａ、Ｆｕｓａｒｉｕｍ、Ｔｈｉｅｌａｖｉａ、Ａｃｒｅｍｏｎｉｕｍ由来のセルラーゼ、例えば、Ｈｕｍｉｃｏｌａ  ｉｎｓｏｌｅｎｓ、Ｍｙｃｅｌｉｏｐｈｔｈｏｒａ  ｔｈｅｒｍｏｐｈｉｌａ、及びＦｕｓａｒｉｕｍ  ｏｘｙｓｐｏｒｕｍから生成される、糸状菌セルラーゼが挙げられる。
【００９０】
市販のセルラーゼとしては、Ｃｅｌｌｕｚｙｍｅ（登録商標）及びＣａｒｅｚｙｍｅ（登録商標）（Ｎｏｖｏｚｙｍｅｓ  Ａ／Ｓ）、Ｃｌａｚｉｎａｓｅ（登録商標）及びＰｕｒａｄａｘ  ＨＡ（登録商標）（Ｇｅｎｅｎｃｏｒ  Ｉｎｔｅｒｎａｔｉｏｎａｌ  Ｉｎｃ．）、並びにＫＡＣ−５００（Ｂ）（登録商標）（花王）が挙げられる。
【００９１】
セルラーゼは、バチルス属の種ＡＡ３４９のメンバーに内因性の細菌ポリペプチド、及びその混合物を含めた、エンド−β−１，４−グルカナーゼ活性を呈する、微生物由来のエンドグルカナーゼ（Ｅ．Ｃ．３．２．１．４）を含み得る。好適なエンドグルカナーゼは、Ｃｅｌｌｕｃｌｅａｎ（登録商標）及びＷｈｉｔｅｚｙｍｅ（登録商標）（Ｎｏｖｏｚｙｍｅｓ  Ａ／Ｓ，Ｂａｇｓｖａｅｒｄ，Ｄｅｎｍａｒｋ）の商標名で、販売されている。
【００９２】
本組成物は、１７ｋＤａ〜３０ｋＤａの分子量を有する、グリコシルヒドロラーゼのファミリー４５に属する洗浄セルラーゼ、例えば、Ｂｉｏｔｏｕｃｈ（登録商標）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）の商標名で販売されるエンドグルカナーゼを含み得る。
【００９３】
Ｗｈｉｔｅｚｙｍｅ（登録商標）などの、好適なセルラーゼはまた、キシログルカナーゼ活性も呈し得る。
【００９４】
リパーゼ。本組成物は、リパーゼを含み得る。好適なリパーゼとしては、細菌由来又は真菌由来のものが挙げられる。化学修飾された変異体又は改質されたタンパク質変異体が含まれる。有用なリパーゼの例としては、Ｈｕｍｉｃｏｌａ（別名Ｔｈｅｒｍｏｍｙｃｅｓ）からのリパーゼ、例えば、Ｈ．ｌａｎｕｇｉｎｏｓａ（Ｔ．ｌａｎｕｇｉｎｏｓｕｓ）からの、又はＨ．ｉｎｓｏｌｅｎｓからのリパーゼ、シュードモナスリパーゼ、例えば、Ｐ．ａｌｃａｌｉｇｅｎｅｓからの、又はＰ．ｐｓｅｕｄｏａｌｃａｌｉｇｅｎｅｓ、Ｐ．ｃｅｐａｃｉａ、Ｐ．ｓｔｕｔｚｅｒｉ、Ｐ．ｆｌｕｏｒｅｓｃｅｎｓ、Ｐｓｅｕｄｏｍｏｎａｓ  ＳＤ  ７０５株、Ｐ．ｗｉｓｃｏｎｓｉｎｅｎｓｉｓからのシュードモナスリパーゼ、バチルスリパーゼ、例えば、Ｂ．ｓｕｂｔｉｌｉｓ、Ｂ．ｓｔｅａｒｏｔｈｅｒｍｏｐｈｉｌｕｓ、又はＢ．ｐｕｍｉｌｕｓからのバチルスリパーゼが挙げられる。
【００９５】
このリパーゼは、「第１サイクルのリパーゼ」とすることができ、所望により、Ｔ２３１Ｒ及びＮ２３３Ｒの突然変異体を含む、Ｔｈｅｒｍｏｍｙｃｅｓ  ｌａｎｕｇｉｎｏｓｕｓ由来の野生型リパーゼの変異型とすることができる。野生型配列は、Ｓｗｉｓｓ−ｐｒｏｔの受け入れ番号Ｓｗｉｓｓ−Ｐｒｏｔ  Ｏ５９９５２の、（Ｔｈｅｒｍｏｍｙｃｅｓ  ｌａｎｕｇｉｎｏｓｕｓ（Ｈｕｍｉｃｏｌａ  ｌａｎｕｇｉｎｏｓａ）由来の）２６９個のアミノ酸（アミノ酸２３〜２９１）である。好適なリパーゼとしては、Ｎｏｖｏｚｙｍｅｓ（Ｂａｇｓｖａｅｒｄ，Ｄｅｎｍａｒｋ）製の、Ｌｉｐｅｘ（登録商標）、Ｌｉｐｏｌｅｘ（登録商標）、及びＬｉｐｏｃｌｅａｎ（登録商標）の商標名で販売のものが挙げられる。
【００９６】
本組成物は、野生型のアミノ酸と９０％超の相同性を有し、Ｔ２３１及び／又はＮ２３３、所望によりＴ２３１Ｒ及び／又はＮ２３３Ｒの置換を含む、Ｔｈｅｒｍｏｍｙｃｅｓ  ｌａｎｕｇｉｎｏｓａ（Ｏ５９９５２）リパーゼの変異型を含み得る。
【００９７】
キシログルカナーゼ：好適なキシログルカナーゼ酵素は、キシログルカン基質及び非晶質セルロース基質の双方に対しての酵素活性を有し得る。この酵素は、グリコシドヒドロラーゼ（ＧＨ）ファミリー５、１２、４４、又はファミリー７４から選択されるグリコシドヒドロラーゼであってよい。ＧＨファミリー４４から選択されるグリコシドヒドロラーゼが、特に好適である。ＧＨファミリー４４から選択される好適なグリコシドヒドロラーゼは、Ｐａｅｎｉｂａｃｉｌｌｕｓ  ｐｏｌｙｘｙｍａ（ＡＴＣＣ  ８３２）由来のＸＹＧ１００６グリコシドヒドロラーゼ、及びその変異型である。
【００９８】
ペクチン酸リアーゼ：好適なペクチン酸リアーゼは、Ｎｏｖｏｚｙｍｅｓ  Ａ／Ｓ（Ｂａｇｓｖａｅｒｄ，Ｄｅｎｍａｒｋ）製の、Ｐｅｃｔａｗａｓｈ（登録商標）、Ｐｅｃｔａｗａｙ（登録商標）、及びＸ−Ｐｅｃｔ（登録商標）の商標名で販売の、バチルス由来のペクチン酸リアーゼの野生型若しくは変異型（ＣＡＦ０５４４１、ＡＡＵ２５５６８）のいずれかである。
【００９９】
マンナナーゼ：好適なマンナナーゼは、Ｎｏｖｏｚｙｍｅｓ  Ａ／Ｓ（Ｂａｇｓｖａｅｒｄ，Ｄｅｎｍａｒｋ）により、Ｍａｎｎａｗａｙ（登録商標）の商標名、及びＧｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ）により、Ｐｕｒａｂｒｉｔｅ（登録商標）の商標名で、販売されている。
【０１００】
漂白酵素：好適な漂白酵素としては、酸化還元酵素、例えば、グルコースオキシダーゼ、コリンオキシダーゼ、又は炭水化物オキシダーゼなどの、オキシダーゼ；オキシゲナーゼ；カタラーゼ；ハロペルオキシダーゼ、クロロペルオキシダーゼ、ブロモペルオキシダーゼ、リグニンペルオキシダーゼ、グルコースペルオキシダーゼ、又はマンガンペルオキシダーゼのような、ペルオキシダーゼ；ジオキシゲナーゼ；又はラッカーゼ（フェノールオキシダーゼ、ポリフェノールオキシダーゼ）が挙げられる。好適な市販製品は、Ｎｏｖｏｚｙｍｅｓより、Ｇｕａｒｄｚｙｍｅ（登録商標）、及びＤｅｎｉｌｉｔｅ（登録商標）の商標名で販売されている。追加的な有機化合物、特に芳香族化合物を、漂白酵素と組み合わせることが有利であり得、これらの化合物は、漂白酵素と相互作用して、酸化還元酵素の活性を増強する（増強剤）か、又は酸化酵素と汚れとの間の、典型的には大きく異なる酸化還元電位にわたる、電子流を促進する（媒介剤）。
【０１０１】
他の好適な漂白酵素としては、エステル基質及び過酸素源からの、過酸の形成を触媒する、ペルヒドロラーゼが挙げられる。好適なペルヒドロラーゼとしては、Ｍｙｃｏｂａｃｔｅｒｉｕｍ  ｓｍｅｇｍａｔｉｓのペルヒドロラーゼの変異型、いわゆるＣＥ−７ペルヒドロラーゼの変異型、及びペルヒドロラーゼ活性を保有する野生型ｓｕｂｔｉｌｉｓｉｎ  Ｃａｒｌｓｂｅｒｇの変異型が挙げられる。
【０１０２】
クチナーゼ：好適なクチナーゼは、Ｅ．Ｃ．クラス３．１．１．７３によって定義され、Ｆｕｓａｒｉｕｍ  ｓｏｌａｎｉ、Ｐｓｅｕｄｏｍｏｎａｓ  Ｍｅｎｄｏｃｉｎａ、又はＨｕｍｉｃｏｌａ  Ｉｎｓｏｌｅｎｓのうちの１つに由来する野生型と、所望により、少なくとも９０％、又は９５％、又は最も所望される場合、少なくとも９８％の相同性を呈する。
【０１０３】
相同性。２つのアミノ酸配列の間の関係は、「相同性」パラメーターによって説明される。本発明の目的上、２つのアミノ酸配列のアラインメントは、ＥＭＢＯＳＳパッケージ（ｈｔｔｐ：／／ｅｍｂｏｓｓ．ｏｒｇ）バージョン２．８．０由来のＮｅｅｄｌｅプログラムを使用することによって判定される。Ｎｅｅｄｌｅプログラムは、Ｎｅｅｄｌｅｍａｎ，Ｓ．Ｂ．及びＷｕｎｓｃｈ，Ｃ．Ｄ．（１９７０）Ｊ．Ｍｏｌ．Ｂｉｏｌ．４８，４４３〜４５３に記載される国際的なアラインメントアルゴリズムを実装するものである。使用される置換マトリクスは、ＢＬＯＳＵＭ６２であり、ギャップ開始ペナルティは１０、ギャップ伸長ペナルティは０．５である。
【０１０４】
酵素安定剤。本組成物は、酵素安定剤を含み得る。好適な酵素安定剤としては、プロピレングリコール若しくはグリセロールなどのポリオール、糖若しくは糖アルコール、乳酸、可逆的プロテアーゼ阻害剤、ホウ酸若しくはホウ酸誘導体、例えば、芳香族ホウ酸エステル、又は４−ホルミルフェニルボロン酸などのフェニルボロン酸誘導体が挙げられる。本組成物は、プロピレングリコール又はグリセロールなどのポリオール、糖又は糖アルコールから好ましくは選択される、無ホウ酸酵素安定剤を含むことが好ましい場合がある。本組成物は、ホウ酸を実質的に含まないことが、更に好ましい場合がある。実質的に含まないとは、典型的には、「意図的に添加されたものを含まない」ことを意味する。ホウ酸を含まないことはまた、典型的には、ホウ砂などの、ホウ酸の供給源を含まないことも包含する。
【０１０５】
柔軟仕上げ剤：好適な布地柔軟化剤としては、粘土、シリコーン、及び／又は第四級アンモニウム化合物が挙げられる。好適な粘土としては、モンモリロナイト粘土、ヘクトライト粘土、及び／又はラポナイト粘土が挙げられる。好適な粘土は、モンモリロナイト粘土である。好適なシリコーンとしては、アミノシリコーン及び／又はポリジメチルシロキサン（ＰＤＭＳ）が挙げられる。好適な柔軟仕上げ剤は、モンモリロナイト粘土及びＰＤＭＳを含む粒子などの、粘土及びシリコーンを含む粒子である。
【０１０６】
凝集剤：好適な凝集剤としては、例えば３００，０００Ｄａ〜９００，０００Ｄａの平均分子量を有する、ポリエチレンオキシドが挙げられる。
【０１０７】
抑泡剤：好適な抑泡剤としては、シリコーン、及び／又はステアリン酸などの脂肪酸が挙げられる。
【０１０８】
構造剤／増粘剤。構造化液体を、内部構造化することにより、その構造を主要成分（例えば、界面活性剤材料）によって形成することができ、かつ／又は二次成分（例えば、ポリマー、粘土、及び／又はケイ酸塩材料）を使用して３次元マトリックス構造を提供することによって、外部構造化することができる。
【０１０９】
本組成物は、構造剤を含み得、好ましくは、０．０１重量％〜５重量％、０．１重量％２．０重量％の構造剤を含み得る。構造剤は、典型的には、ジグリセリド及びトリグリセリド、エチレングリコールジステアレート、微結晶セルロース、セルロース系材料、マイクロファイバーセルロース、バイオポリマー、キサンタンガム、ジェランガム、及びこれらの混合物からなる群から選択される。好適な構造剤としては、水添ヒマシ油、及びその非エトキシル化誘導体が挙げられる。本組成物は、リパーゼを実質的に含まないことが好ましい場合があり、実質的に含まないとは、典型的には、「意図的に添加されたものを含まない」ことを意味する。このことは、本組成物が、水添ヒマシ油、及びその非エトキシル化誘導体を含む場合、特に好ましい。好適な構造剤は、米国特許第６８５５６８０号のものであり、そのような構造剤は、ある範囲のアスペクト比を有する、糸状構造化システムを有する。他の好適な構造剤、及びそれらの構造剤を作製するためのプロセスは、国際公開第２０１０／０３４７３６号に記載されている。
【０１１０】
芳香剤：好適な芳香剤としては、芳香剤マイクロカプセル、シッフ塩基芳香剤／ポリマー複合体を含めたポリマー支援芳香剤送達システム、デンプンにカプセル化された芳香剤のアコード、芳香剤充填ゼオライト、ブルーミング芳香剤のアコード、及びこれらの任意の組み合わせが挙げられる。好適な芳香剤マイクロカプセルは、メラミンホルムアルデヒド系であり、典型的には、メラミンホルムアルデヒドを含むシェルによってカプセル化される芳香剤を含む。そのような芳香剤マイクロカプセルは、ポリビニルホルムアミド（ＰＶＦ）及び／又はカチオン変性ヒドロキシエチルセルロース（ｃａｔＨＥＣ）などの、カチオン性材料及び／又はカチオン性前駆体材料をシェル内に含むことが、大いに好適であり得る。
【０１１１】
審美剤：好適な審美剤粒子としては、ソープリング、層状審美的粒子、ゼラチンビーズ、炭酸塩及び／又は硫酸塩のスペックル、色土粒子、及びこれらの任意の組み合わせが挙げられる。
【０１１２】
溶媒：本組成物は、溶媒を含み得る。好ましい溶媒としては、アルコール及び／又はグリコール、好ましくは、メタノール、エタノール、及び／又はプロピレングリコールが挙げられる。好ましくは、本組成物は、酵素安定性の改善のために、メタノール及びエタノールを全く含まないか、若しくは最小限の量しか含まず、代わりに、比較的多量のプロピレングリコールを含む。好ましくは、本組成物は、プロピレングリコールを含む。
【０１１３】
好適な溶媒としては、Ｃ４〜Ｃ１４エーテル及びジエーテル、グリコール、アルコキシル化グリコール、Ｃ６〜Ｃ１６グリコールエーテル、アルコキシル化芳香族アルコール、芳香族アルコール、脂肪族分岐鎖アルコール、アルコキシル化脂肪族分岐鎖アルコール、アルコキシル化直鎖Ｃ１〜Ｃ５アルコール、直鎖Ｃ１〜Ｃ５アルコール、アミン、Ｃ８〜Ｃ１４アルキル及びシクロアルキル炭化水素及びハロ炭化水素、並びにこれらの混合物が挙げられる。
【０１１４】
好ましい溶媒は、メトキシオクタデカノール、２−（２−エトキシエトキシ）エタノール、ベンジルアルコール、２−エチルブタノール及び／又は２−メチルブタノール、１−メチルプロポキシエタノール及び／又は２−メチルブトキシエタノール、直鎖Ｃ１〜Ｃ５アルコール（メタノール、エタノール、プロパノール、ブチルジグリコールエーテル（ＢＤＧＥ）、ブチルトリグリコールエーテル、第三級アミルアルコール、グリセロール、イソプロパノールなど）、並びにこれらの混合物から選択される。本明細書で使用することができる特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びこれらの混合物である。他の好適な溶媒としては、プロピレングリコール、及びジエチレングリコール、並びにこれらの混合物が挙げられる。
【０１１５】
遊離水：本組成物は、１０重量％未満、又は５重量％未満、又は４重量％未満、又は３重量％未満の遊離水、又は２重量％未満の遊離水、又は１重量％未満の遊離水を含み得、また更には無水とすることができ、典型的には、意図的に添加された遊離水を含まない。遊離水は、典型的には、カールフィッシャー滴定を使用して測定される。洗濯洗剤組成物２ｇを、室温で２０分にわたって乾燥メタノール５０ｍＬ中に抽出し、このメタノール１ｍＬをカールフィッシャー滴定によって分析する。
【０１１６】
悪臭制御成分
本洗濯洗剤組成物は、悪臭制御成分を含む。この悪臭制御成分は、少なくとも１種の揮発性アルデヒド、及び酸触媒を含み得る。この悪臭制御成分は、純粋な悪臭中和を提供するように設計され、臭気を単に包み隠すか又はマスキングすることによって機能するようには設計されない。純粋な悪臭中和は、感覚的及び分析的（例えば、ガスクロマトグラフ）に測定可能な悪臭の低減を提供する。それゆえ、悪臭制御成分が、純粋な悪臭中和を送達する場合には、本組成物は、気相及び／又は液相中の悪臭を低減する。
【０１１７】
１．揮発性アルデヒド
悪臭制御成分は、化学反応を介して気相及び／又は液相中の悪臭を中和する、揮発性アルデヒドの混合物を含む。そのような揮発性アルデヒドはまた、反応性アルデヒド（ＲＡ）とも呼ばれる。揮発性アルデヒドは、シッフ塩基形成経路に従って、アミン系臭気と反応することができる。揮発性アルデヒドはまた、イオウ系臭気とも反応し、気相及び／又は液相中に、チオールアセタール、へミチオールアセタール、及びチオールエステルを形成することができる。これらの気相及び／又は液相揮発性アルデヒドは、実質上、製品の所望の芳香剤特性に悪影響を全く及ぼさないことが、望ましい場合がある。部分的に揮発性であるアルデヒドは、本明細書で使用される揮発性アルデヒドと見なすことができる。
【０１１８】
好適な揮発性アルデヒドは、２５℃で測定するとき、約０．０００１トール（０．０１３Ｐａ）〜１００トール（１３，３３２．２Ｐａ）、あるいは約０．０００１トール（０．０１３Ｐａ）〜約１０トール（１，３３３．２Ｐａ）、あるいは約０．００１トール（０．１３３Ｐａ）〜約５０トール（６６６６．１Ｐａ）、あるいは約０．００１トール（０．１３３Ｐａ）〜約２０トール（２６６６．４Ｐａ）、あるいは約０．００１トール（０．１３３Ｐａ）〜約０．１００トール（１３．３Ｐａ）、あるいは約０．００１トール（０．１３３Ｐａ）〜０．０６トール（８．００Ｐａ）、あるいは約０．００１トール（０．１３３Ｐａ）〜０．０３トール（４．００Ｐａ）、あるいは約０．００５トール（０．６７Ｐａ）〜約２０トール（２，６６６．４Ｐａ）、あるいは約０．０１トール（１．３３Ｐａ）〜約２０トール（２，６６６．４Ｐａ）、あるいは約０．０１トール（１．３３Ｐａ）〜約１５トール（１，９９９．８Ｐａ）、あるいは約０．０１トール（１．３３Ｐａ）〜約１０トール（１，３３３．２Ｐａ）、あるいは約０．０５トール（６．６７Ｐａ）〜約１０トール（１，３３３．２Ｐａ）の範囲内の、蒸気圧（ＶＰ）を有し得る。
【０１１９】
揮発性アルデヒドはまた、特定の沸点（Ｂ．Ｐ．）及びオクタノール／水分配係数（Ｐ）も有し得る。本明細書で言及される沸点は、７６０ｍｍＨｇ（１０１．３ｋＰａ）の、正常な標準圧力の下で測定される。標準の７６０ｍｍＨｇ（１０１．３Ｐａ）での、多くの揮発性アルデヒドの沸点は、例えば、Ｓｔｅｆｆｅｎ  Ａｒｃｔａｎｄｅｒ著、１９６９年発行の「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」に示されている。
【０１２０】
揮発性アルデヒドのオクタノール／水分配係数は、そのオクタノール中での平衡濃度と水中での平衡濃度との比である。悪臭制御成分中で使用される揮発性アルデヒドの分配係数は、１０を底とするそれらの対数、ｌｏｇＰの形態で、より簡便に示すことができる。多くの揮発性アルデヒドのｌｏｇＰ値が報告されている。例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ）（Ｉｒｖｉｎｅ，Ｃａｌｉｆｏｒｎｉａ）から入手可能なＰｏｍｏｎａ９２データベースを参照されたい。しかしながら、ｌｏｇＰ値は、同じくＤａｙｌｉｇｈｔ  ＣＩＳから入手可能な「ＣＬＯＧＰ」プログラムによって、最も簡便に算定される。このプログラムはまた、Ｐｏｍｏｎａ９２データベースで入手可能な場合、実験に基づくｌｏｇＰ値も記載している。「算定ＬｏｇＰ」（ＣｌｏｇＰ）は、Ｈａｎｓｃｈ及びＬｅｏのフラグメント法により決定される（Ａ．Ｌｅｏ，Ｃｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ、Ｐ．Ｇ．Ｓａｍｍｅｎｓ、Ｊ．Ｂ．Ｔａｙｌｏｒ、及びＣ．Ａ．Ｒａｍｓｄｅｎ編、ｐ．２９５，Ｐｅｒｇａｍｏｎ  Ｐｒｅｓｓ，１９９０を参照）。フラグメント法は、各揮発性アルデヒドの化学構造に基づくものであり、原子の数及び種類、原子の連結性、並びに化学結合を考慮するものである。あるいは、この物理化学的特性に関して最も信頼性があり、最も広く使用されるＣｌｏｇＰ値は、悪臭制御成分に関する揮発性アルデヒドを選択する際に、実験に基づいたｌｏｇＰ値の代わりに使用される。
【０１２１】
ＣｌｏｇＰ値は、４つの群によって定義することができ、揮発性アルデヒドは、これらの群のうちの１つ以上から選択することができる。第１群は、約２５０℃以下のＢ．Ｐ．及び約３以下のＣｌｏｇＰを有する、揮発性アルデヒドを含む。第２群は、２５０℃以下のＢ．Ｐ．及び３．０以上のＣｌｏｇＰを有する、揮発性アルデヒドを含む。第３群は、２５０℃以上のＢ．Ｐ．及び３．０以下のＣｌｏｇＰを有する、揮発性アルデヒドを含む。第４群は、２５０℃以上のＢ．Ｐ．及び３．０以上のＣｌｏｇＰを有する、揮発性アルデヒドを含む。悪臭制御成分は、１つ以上のＣｌｏｇＰ群からの揮発性アルデヒドの、任意の組み合わせを含み得る。
【０１２２】
一部の実施形態では、本発明の悪臭制御成分は、悪臭制御成分の総重量の、約０重量％〜約３０重量％、若しくは約２５重量％の第１群からの揮発性アルデヒド、及び／又は約０重量％〜約１０重量％、若しくは約１０重量％の第２群からの揮発性アルデヒド、及び／又は約１０重量％〜約３０重量％、若しくは約３０重量％の第３群からの揮発性アルデヒド、及び／又は約３５重量％〜約６０重量％、若しくは約３５重量％の第４群からの揮発性アルデヒドを含み得る。
【０１２３】
悪臭制御成分中に使用することができる、例示的な揮発性アルデヒドとしては、アドキサール（２，６，１０−トリメチル−９−ウンデセナール）、ブルゲオナール（４−ｔ−ブチルベンゼンプロピオンアルデヒド）、リレストラリス３３（２−メチル−４−ｔ−ブチルフェニル）プロパナール）、桂皮アルデヒド、シンナムアルデヒド（フェニルプロペナール、３−フェニル−２−プロペナール）、シトラール、ゲラニアール、ネラール（ジメチルオクタジエナール、３，７−ジメチル−２，６−オクタジエン−１−アール）、シクラールＣ（２，４−ジメチル−３−シクロヘキセン−１−カルバルデヒド）、フロルヒドラル（３−（３−イソプロピル−フェニル）−ブチルアルデヒド）、シトロネラール（３，７−ジメチル６−オクテナール）、サイマール、シクラメンアルデヒド、シクロサル、ライムアルデヒド（α−メチル−ｐ−イソプロピルフェニルプロピルアルデヒド）、メチルノニルアセトアルデヒド、アルデヒドＣ１２  ＭＮＡ（２−メチル−１−ウンデカナール）、ヒドロキシシトロネラール、シトロネラール水和物（７−ヒドロキシ−３，７−ジメチルオクタン−１−アール）、ヘリオナル（α−メチル−３，４−（メチレンジオキシ）−ヒドロシンナムアルデヒド、ヒドロシンナムアルデヒド（３−フェニルプロパナール、３−フェニルプロピオンアルデヒド）、イントレレベンアルデヒド（ウンデカ−１０−エン−１−アール）、リグストラール、トリバータル（２，４−ジメチル−３−シクロヘキセン−１−カルボキシアルデヒド）、ジャスモレンジ、サチンアルデヒド（２−メチル−３−トリルプロピオンアルデヒド、４−ジメチルベンゼンプロパナール）、リラール（４−（４−ヒドロキシ−４−メチルペンチル）−３−シクロヘキセン−１−カルボキシアルデヒド）、メロナール（２，６−ジメチル−５−ヘプテナール）、メトキシメロナール（６−メトキシ−２，６−ジメチルヘプタナール）、メトキシシンナムアルデヒド（トランス−４−メトキシシンナムアルデヒド）、ミラックアルデヒドイソヘキセニルシクロヘキセニル−カルボキシアルデヒド、トリファーナル（trifernal）（（３−メチル−４−フェニルプロパナール、３−フェニルブタナール）、リリアール、Ｐ．Ｔ．ブシナール、リスメラール、ベンゼンプロパナール（４−ｔｅｒｔ−ブチル−α−メチル−ヒドロシンナムアルデヒド）、Ｄｕｐｉｃａｌ、トリシクロデシリデンブタナール（４−トリシクロ５２１０−２，６デシリデン−８ブタナール）、Ｍｅｌａｆｌｅｕｒ（１，２，３，４，５，６，７，８−オクタヒドロ−８，８−ジメチル−２−ナフトアルデヒド）、メチルオクチルアセトアルデヒド、アルデヒドＣ−１１  ＭＯＡ（２−メチルデカ−１−アール）、Ｏｎｉｃｉｄａｌ（２，６，１０−トリメチル−５，９−ウンデカジエン−１−アール）、シトロネリルオキシアセトアルデヒド、Ｍｕｇｕｅｔアルデヒド５０（３，７−ジメチル−６−オクテニル）オキシアセトアルデヒド）、フェニルアセトアルデヒド、Ｍｅｆｒａｎａｌ（３−メチル−５−フェニルペンタナール）、Ｔｒｉｐｌａｌ、Ｖｅｒｔｏｃｉｔｒａｌジメチルテトラヒドロベンゼンアルデヒド（２，４−ジメチル−３−シクロヘキセン−１−カル��キシアルデヒド）、２−フェニルプロプリオンアルデヒド、ヒドロトロープアルデヒド、Ｃａｎｔｈｏｘａｌ、アニシルプロパナール４−メトキシ−α−メチルベンゼンプロパナール（２−アニシリデンプロパナール）、Ｃｙｌｃｅｍｏｎｅ  Ａ（１，２，３，４，５，６，７，８−オクタヒドロ−８，８−ジメチル−２−ナフトアルデヒド）、及びＰｒｅｃｙｌｃｅｍｏｎｅ  Ｂ（１−シクロヘキセン−１−カルボキシアルデヒド）が挙げられるが、これらに限定されない。
【０１２４】
更に他の例示的なアルデヒドとしては、アセトアルデヒド（エタナール）、ペンタナール、バレルアルデヒド、アミルアルデヒド、Ｓｃｅｎｔｅｎａｌ（オクタヒドロ−５−メトキシ−４，７−メタノ−１Ｈ−インデン−２−カルボキシアルデヒド）、プロピオンアルデヒド（プロパナール）、シクロシトラール、β−シクロシトラール、（２，６，６−トリメチル−１−シクロヘキセン−１−アセトアルデヒド）、イソシクロシトラール（２，４，６−トリメチル−３−シクロヘキセン−１−カルボキシアルデヒド）、イソブチルアルデヒド、ブチルアルデヒド、イソバレルアルデヒド（３−メチルブチルアルデヒド）、メチルブチルアルデヒド（２−メチルブチルアルデヒド、２−メチルブタナール）、ジヒドロシトロネラール（３，７−ジメチルオクタン−１−アール）、２−エチルブチルアルデヒド、３−メチル−２−ブテナール、２−メチルペンタナール、２−メチルバレルアルデヒド、ヘキセナール（２−ヘキセナール、トランス−２−ヘキセナール）、ヘプタナール、オクタナール、ノナナール、デカナール、ラウリルアルデヒド、トリデカナール、２−ドデカナール、メチルチオブタナール、グルタルアルデヒド、ペンタンジアール、グルタルアルデヒド、ヘプテナール、シス若しくはトランス−ヘプテナール、ウンデセナール（２−、１０−）、２，４−オクタジエナール、ノネナール（２−、６−）、デセナール（２−、４−）、２，４−ヘキサジエナール、２，４−デカジエナール、２，６−ノナジエナール、オクテナール、２，６−ジメチル５−ヘプテナール、２−イソプロピル−５−メチル−２−ヘキセナール、トリファーナル、βメチルベンゼンプロパナール、２，６，６−トリメチル−１−シクロヘキセン−１−アセトアルデヒド、フェニルブテナール（２−フェニル２−ブテナール）、２．メチル−３（ｐ−イソプロピルフェニル）−プロピオンアルデヒド、３−（ｐ−イソプロピルフェニル）−プロピオンアルデヒド、ｐ−トリルアセトアルデヒド（４−メチルフェニルアセトアルデヒド）、アニスアルデヒド（ｐ−メトキシベンゼンアルデヒド）、ベンズアルデヒド、ベルンアルデヒド（Vernaldehyde）（１−メチル−４−（４−メチルペンチル）−３−シクロヘキセンカルボアルデヒド）、ヘリオトロピン（ピペロナール）３，４−メチレンジオキシベンズアルデヒド、α−アミル桂皮アルデヒド、２−ペンチル−３−フェニルプロペンアルデヒド、バニリン（４−メトキシ３−ヒドロキシベンズアルデヒド）、エチルバニリン（３−エトキシ４−ヒドロキシベンズアルデヒド）、ヘキシル桂皮アルデヒド、Ｊａｓｍｏｎａｌ  Ｈ（α−ｎ−ヘキシル−シンナムアルデヒド）、フローラルオゾン（パラ−エチル−α，α−ジメチルヒドロシンナムアルデヒド）、Ａｃａｌｅａ（ｐ−メチル−α−ペンチルシンナムアルデヒド）、メチルシンナムアルデヒド、α−メチルシンナムアルデヒド（２−メチル３−フェニルプロペナール）、α−ヘキシルシンナムアルデヒド（２−ヘキシル３−フェニルプロペナール）、サリチルアルデヒド（２−ヒドロキシベンズアルデヒド）、４−エチルベンズアルデヒド、クミンアルデヒド（４−イソプロピルベンズアルデヒド）、エトキシベンズアルデヒド、２，４−ジ���チルベンズアルデヒド、ベラトルムアルデヒド（３，４−ジメトキシベンズアルデヒド）、シリンガアルデヒド（３，５−ジメトキシ４−ヒドロキシベンズアルデヒド）、カテックアルデヒド（Catechaldehyde）（３，４−ジヒドロキシベンズアルデヒド）、サフラナール（２，６，６−トリメチル−１，３−ジエンメタナール）、ミルテナール（ピン−２−エン−１−カルバルデヒド）、ペリルアルデヒドＬ−４（１−メチルエテニル）−１−シクロヘキセン−１−カルボキシアルデヒド）、２，４−ジメチル−３−シクロヘキセンカルボキシアルデヒド、２−メチル−２−ペンテナール、２−メチルペンテナール、ピルブアルデヒド、ホルミルトリシクロデカン、マンダリンアルデヒド、Ｃｙｃｌｅｍａｘ、ピノアセトアルデヒド、Ｃｏｒｐｓ  Ｉｒｉｓ、Ｍａｃｅａｌ、及びＣｏｒｐｓ  ４３２２が挙げられるが、これらに限定されない。
【０１２５】
一実施形態では、悪臭制御成分は、２−エトキシベンジルアルデヒド、２−イソプロピル−５−メチル−２−ヘキセナール、５−メチルフルフラール、５−メチル−チオフェン−カルボキシアルデヒド、アドキサール、ｐ−アニスアルデヒド、ベンジルアルデヒド、ブルゲオナール（Bourgenal）、桂皮アルデヒド、サイマール、デシルアルデヒド、フローラルスーパー、フロルヒドラル、ヘリオナル、ラウリルアルデヒド、リグストラール、リラール、メロナール、ｏ−アニスアルデヒド、ピノアセトアルデヒド、Ｐ．Ｔ．ブシナール、チオフェンカルボキシアルデヒド、トランス−４−デセナール、トランストランス２，４−ノナジエナール、ウンデシルアルデヒド、及びこれらの混合物からなる群から選択される、２種以上の揮発性アルデヒドの混合物を含む。
【０１２６】
一部の実施形態では、悪臭制御成分は、即効揮発性アルデヒドを含む。「即効揮発性アルデヒド」は、（１）４０秒未満で２０％以上のアミン臭気を低減するか、又は、（２）３０分未満で２０％以上のチオール臭気を低減する、揮発性アルデヒドを指す。
【０１２７】
一実施形態では、悪臭制御成分は、表１に記載され、本明細書ではアコードＡと呼ぶ、揮発性アルデヒドの混合物を含む。
【表１】
2013513722.tif 000005
【０１２８】
別の実施形態では、悪臭制御成分は、表２に記載され、本明細書ではアコードＢと呼ぶ、揮発性アルデヒドの混合物を含む。
【表２】
2013513722.tif 000006
【０１２９】
別の実施形態では、悪臭制御成分は、約７１．２％の揮発性アルデヒドの混合物を含み、残部は、他のエステル及びアルコール芳香剤原材料である。この混合物は表３に記載され、本明細書ではアコードＣと呼ぶ。
【表３】
2013513722.tif 000007
【０１３０】
アコードＡ、Ｂ、又はアコードＣは、例えば、悪臭制御成分の約１０重量％の量の、他の芳香剤原材料と配合することができる。更には、個々の揮発性アルデヒド、又は揮発性アルデヒドの様々な組み合わせを、悪臭制御成分中に配合することができる。特定の実施形態では、揮発性アルデヒドは、悪臭制御成分の、最大１００重量％の量で、あるいは、組成物の、１重量％〜約１００重量％、あるいは約２重量％〜約１００重量％、あるいは約３重量％〜約１００重量％、あるいは約５０重量％〜約１００重量％、あるいは約７０重量％〜約１００重量％、あるいは約８０重量％〜約１００重量％、あるいは約１重量％〜約２０重量％、あるいは約１重量％〜約１０重量％、あるいは約１重量％〜約５重量％、あるいは約１重量％〜約３重量％、あるいは約２重量％〜約２０重量％、あるいは約３重量％〜約２０重量％、あるいは約４重量％〜約２０重量％、あるいは約５重量％〜約２０重量％の量で存在し得る。
【０１３１】
揮発性が悪臭を中和するために重要ではない一部の実施形態では、本発明は、ポリ−アルデヒド、例えば、ジ−、トリ−、テトラ−アルデヒドを含み得る。そのような実施形態は、リーブオン、洗浄中、及びリンスオフ型の用途のための、洗濯洗剤、添加剤などを含み得る。
【０１３２】
２．酸触媒
本発明の悪臭制御成分は、イオウ系悪臭を中和するための、有効量の酸触媒を含み得る。特定の弱酸は、液相及び気相中のチオールとのアルデヒド反応性に、影響を及ぼすことが判明している。チオールとアルデヒドとの反応は、ヘミアセタール及びアセタール形成経路の機序に従う、触媒反応であることが判明している。本悪臭制御成分が酸触媒を含み、イオウ系悪臭と接触する場合、揮発性アルデヒドが、チオールと反応する。この反応は、チオールアセタール化合物を形成し、それゆえ、イオウ系臭気を中和することができる。酸触媒がない場合、へミチオールアセタールのみが形成される。
【０１３３】
好適な酸触媒は、Ｓｃｉｆｉｎｄｅｒによって報告されるように、２５℃で測定するとき、約０．００１トール（０．１３３Ｐａ）〜約３８トール（５，０６６．２Ｐａ）、あるいは約０．００１トール（０．１３３Ｐａ）〜約１４トール（１，８６６．５Ｐａ）、あるいは約０．００１〜約１、あるいは約０．００１〜約０．０２０、あるいは約０．００５〜約０．０２０、あるいは約０．０１０〜約０．０２０トール（０．１３３〜約１３３．３、あるいは約０．１３３〜約２．６７、あるいは約０．６７〜約２．６７Ｐａ）の範囲内のＶＰを有する。
【０１３４】
この酸触媒は、弱酸とすることができる。弱酸は、弱酸の解離に関する平衡定数である、酸解離定数、Ｋａによって特徴付けられ、ｐＫａは、Ｋａの負の常用対数に等しい。この酸触媒は、約４．０〜約６．０、あるいは約４．３〜約５．７、あるいは約４．５〜約５、あるいは約４．７〜約４．９のｐＫａを有し得る。好適な酸触媒としては、表４に記載のものが挙げられる。
【表４】
2013513722.tif 000008
【０１３５】
悪臭制御成分の所望の用途に応じて、酸触媒を選択する際に、香気特性、又は悪臭制御成分の香気に対する影響を考慮することができる。悪臭制御成分の一部の実施形態では、中立的香気から心地よい香気までを提供する酸触媒を選択することが望ましい場合がある。そのような酸触媒は、２５℃で測定するとき、約０．００１トール（０．１３３Ｐａ）〜約０．０２０トール（２．６７Ｐａ）、あるいは約０．００５トール（０．６７Ｐａ）〜約０．０２０トール（２．６７Ｐａ）、あるいは約０．０１０トール（１．３３Ｐａ）〜約０．０２０トール（２．６７Ｐａ）のＶＰを有し得る。そのような酸触媒の非限定的な例としては、カルボン酸不純物を有する５−メチルチオフェンカルボキシアルデヒド、コハク酸、又は安息香酸が挙げられる。
【０１３６】
悪臭制御成分は、悪臭制御成分の、約０．０５重量％〜約５重量％、あるいは約０．１重量％〜約１．０重量％、あるいは約０．１重量％〜約０．５重量％、あるいは約０．１重量％〜約０．４重量％、あるいは約０．４重量％〜約１．５重量％、あるいは約０．４重量％の、酸触媒を含み得る。
【０１３７】
酢酸系では、本悪臭制御成分は、約０．４％の酢酸を含み得る（５０：５０のＴＣ：ＤＰＭ、０．４％の酢酸）。
【表５】
2013513722.tif 000009
【０１３８】
酸触媒が揮発性アルデヒド（すなわち、ＲＡ）と共に存在する場合、酸触媒は、揮発性アルデヒドのそれ自体での悪臭有効性と比較して、悪臭に対する揮発性アルデヒドの有効性を増強させることができる。例えば、１％の揮発性アルデヒド及び１．５％の安息香酸は、５％の単独の揮発性アルデヒド以上の悪臭除去効果を提供する。
【０１３９】
悪臭制御成分は、約３〜約８、あるいは約４〜約７、あるいは約４〜約６のｐＨを有し得る。
【０１４０】
３．任意成分
悪臭制御成分は、所望により、臭気マスキング剤、臭気ブロック剤、及び／又は希釈剤を含み得る。例えば、悪臭制御成分は、悪臭を中和するための揮発性アルデヒドと、芳香剤イオノンと、希釈剤との混合物を含み得る。あるいは、悪臭制御成分は、１００％の揮発性アルデヒドを含み得る。
【０１４１】
「臭気マスキング剤」は、悪臭化合物をマスキングするか、又は覆い隠す、既知の化合物（例えば、芳香剤原材料）を指す。臭気マスキングは、悪臭化合物を感知する能力を制限するように投与される、不快ではない匂い又は心地よい匂いを有する化合物を含み得る。臭気マスキングは、予想される悪臭と協調することにより、臭気化合物の組み合わせによってもたらされる全体的な香気の知覚を変化させる、化合物の選択を伴い得る。
【０１４２】
「臭気ブロック剤」は、人間の嗅覚を鈍らせる既知の化合物を指す。
【０１４３】
例示的な希釈剤としては、ジプロピレングリコールメチルエーテル、及び３−メトキシ−３−メチル−１−ブタノール、並びにこれらの混合物が挙げられる。
【０１４４】
悪臭制御成分はまた、所望により、単に快楽効果を提供する（すなわち、悪臭を中和しないが、心地よい芳香は提供する）芳香剤原材料も含み得る。好適な芳香剤は、参照によりその全体が組み込まれる、米国特許第６，２４８，１３５号に開示されている。
【０１４５】
ＩＩ．布地を洗濯する方法
布地を洗濯する方法は、典型的には、本組成物を水に接触させて洗浄溶液を形成する工程、及びその洗浄溶液中で布地を洗濯する工程を含み、典型的には、この洗浄溶液は、０℃超〜９０℃、又は６０℃まで、又は４０℃まで、又は３０℃まで、又は２０℃まで、又は１０℃まで、又は更に８℃までの温度を有する。布地は、洗濯洗剤組成物を水と接触させる前、又は接触させた後、又は接触させると同時に、水に接触させることができる。本組成物は、前処理の用途で使用することができる。
【０１４６】
典型的には、洗浄溶液は、洗浄溶液中の洗濯洗剤組成物の濃度が、０ｇ／Ｌ超〜５ｇ／Ｌ、又は１ｇ／Ｌ以上かつ４．５ｇ／Ｌ以下、又は４．０ｇ／Ｌ以下、又は３．５ｇ／Ｌ以下、又は３．０ｇ／Ｌ以下、又は２．５ｇ／Ｌ以下、又は更に２．０ｇ／Ｌ以下、又は更に１．５ｇ／Ｌ以下であるような量で、洗濯洗剤を水に接触させることによって形成される。
【０１４７】
布地を洗濯する方法は、頂部充填式、若しくは前側充填式自動洗濯機で実施することができ、又は手洗い洗濯用途で使用することができる。これらの用途では、形成される洗浄溶液、及び洗浄溶液中の洗濯洗剤組成物の濃度は、主要洗浄サイクルのものである。洗浄溶液の容積を決定する際には、いずれの任意選択的なすすぎ工程中の、いずれの水の投入量も、含まれることはない。
【０１４８】
洗浄溶液は、４０リットル以下の水、又は３０リットル以下、又は２０リットル以下、又は１０リットル以下、又は８リットル以下、又は更に６リットル以下の水を含み得る。洗浄溶液は、０超〜１５リットル、又は２リット以上かつ１２リットル以下、又は更に８リットル以下の水を含み得る。
【０１４９】
典型的には、洗浄溶液１リットル当たり、０．０１ｋｇ〜２ｋｇの布地が、その洗浄溶液中に投与される。典型的には、洗浄溶液１リットル当たり、０．０１ｋｇ以上、又は０．０５ｋｇ以上、又は０．０７ｋｇ以上、又は０．１０ｋｇ以上、又は０．１５ｋｇ以上、又は０．２０ｋｇ以上、又は０．２５ｋｇ以上の布地が、その洗浄溶液中に投与される。
【０１５０】
所望により、５０ｇ以下、４５ｇ以下、又は４０ｇ以下、又は３５ｇ以下、又は３０ｇ以下、又は２５ｇ以下、又は２０ｇ以下、又は更に１５ｇ以下、又は更に１０ｇ以下の本組成物を水に接触させて、洗浄溶液を形成する。
【０１５１】
本明細書における本組成物は、所望により電動式又は手動式のトリガースプレーヘッドを取り付けることのできるボトル、あるいはプラスチックボトルなどの、任意の好適な容器内にパッケージ化される。
【実施例】
【０１５２】
本明細書での実施例は、本発明を例示することを意図するが、必ずしも、本発明の範囲を限定するか、又は別の方法で定義するために使用されるものではない。下記の実施例での全ての数値は、特に記述のない限り、本組成物の総重量の、重量％である。
【表６】
2013513722.tif 000010
【表７】
2013513722.tif 000011
【０１５３】
分析試験−アミン系悪臭及びイオウ系悪臭に対する揮発性アルデヒドの効果
１ｍＬのブチルアミン（アミン系悪臭）及びブタンチオール（イオウ系悪臭）を、１．２リットルのガスサンプリングバッグの中にピペットで加えることによって、悪臭標準物質を調製する。次に、このバッグに窒素を容量まで充填し、少なくとも１２時間にわたって静置して、平衡化させる。
【０１５４】
表６に記載される各揮発性アルデヒド、及び表１〜３に記載される各アコード（Ａ、Ｂ、及びＣ）の１μＬ試料を、個別の１０ｍＬシラン処理済みヘッドスペースバイアル瓶の中にピペットで加える。バイアル瓶を密封し、少なくとも１２時間にわたって平衡化させる。各試料について４回繰り返す（ブチルアミン分析のために２回、ブタンチオール分析のために２回）。
【０１５５】
平衡化期間後、１．５ｍＬの標的悪臭標準物質を、各１０ｍＬバイアル瓶の中に注入する。チオール分析のために、試料及び悪臭標準物質を収容するバイアル瓶を、３０分にわたって室温で保持する。次に、１ｍＬヘッドスペース注射器を使用して、各試料／悪臭物質２５０μＬをＧＣ／ＭＳの、スプリット／スプリットレスインレットの中に注入する。アミン分析のために、１ｍＬヘッドスペース注射器を使用して、各試料／悪臭物質５００μＬを、ＧＣ／ＭＳの、スプリット／スプリットレスインレットの中に直ちに注入する。アミン分析のためにＧＣピローを使用して、実行時間を短縮する。
【０１５６】
次に、静的ヘッドスペース機能を有するＭＰＳ−２オートサンプラー装置を用い、ＤＢ−５の、２０ｍでフィルム厚さ１μｍのカラムによりＧＣ／ＭＳを使用して、試料を分析する。それぞれの総イオン電流に対するイオン抽出によって、データを分析し（チオールについては５６、アミンについては３０）、この領域を用いて、各試料について悪臭標準物質からの低減パーセントを計算する。
【０１５７】
表６は、それぞれ４０秒及び３０分の時点の、アミン系悪臭及びイオウ系悪臭の中和に対する、特定の揮発性アルデヒドの効果を示す。
【表８−１】
2013513722.tif 000012
【表８−２】
2013513722.tif 000013
【０１５８】
表７は、それぞれ、アコードＡ、Ｂ、及びアコードＣに関して、４０秒及び３０分の時点での、ブチルアミン及びブタンチオールの減少パーセントを示す。
【表９】
2013513722.tif 000014
【０１５９】
分析試験−イオウ系悪臭に対する酸触媒の効果
イオウ系悪臭に対する酸触媒の効果を試験するために、上記の分析試験を、酸触媒を含有する試料を使用して繰り返す。具体的には、以下の対照及び酸触媒試料のそれぞれの、１μＬアリコートを、２通り用意した個別の１０ｍＬシラン処理済みヘッドスペースバイアル瓶の中に、ピペットを用いて加える：対照としてのチオフェンカルボキシアルデヒド；チオフェンカルボキシアルデヒドと、ＤＰＭ中０．０４％、ＤＰＭ中０．１０％、ＤＰＭ中０．４３％、ＤＰＭ中１．０２％、及びＤＰＭ中２．０４％での以下の酸触媒のそれぞれとの、５０／５０混合物：フェノール、メシチレン酸、カプリル酸、コハク酸、ピバル酸、チグリン酸、及び安息香酸。
【０１６０】
図１は、低蒸気圧酸触媒が、対照と比較して、最大で３倍良好なイオウ系悪臭の除去を提供することを示す。
【０１６１】
分析試験−アミン系悪臭及びイオウ系悪臭に対する、揮発性アルデヒド及び酸触媒の効果
表８及び表９に概説するように、揮発性アルデヒド（すなわち、ＲＡ）及び酸触媒を含有する試料製剤を使用して、上記の分析試験を繰り返す。
【０１６２】
表８及び表９は、１．５％の酸触媒と共に１％の少量の揮発性アルデヒドを有する芳香剤混合物が、５％の揮発性アルデヒドを有する同一の芳香剤混合物よりも、ブチルアミン及びブタンチオールを良好に低減することを示す。
【表１０】
2013513722.tif 000015
【表１１】
2013513722.tif 000016
【０１６３】
本明細書に開示される寸法及び値は、記載される厳密な数値に厳格に限定されるものとして理解するべきではない。むしろ、特に指定のない限り、そのような各寸法は、記載される値と、その値を包含する機能的に等価な範囲との双方を意味するものとする。例えば、「４０ｍｍ」として開示される寸法は、「約４０ｍｍ」を意味するものとする。
【０１６４】
相互参照される又は関連する、いずれの特許又は出願をも含めた、本明細書に引用される全ての文献は、明示的に除外されるか、又は別の方法で制限されない限り、その全体が参照により本明細書に組み込まれる。いずれの文献の引用も、その文献が、本明細書に開示されるか又は特許請求の範囲に記載されるいずれかの発明に対しての先行技術であることを容認するものではなく、また、その文献が、単独で、又は任意の他の参照文献との任意の組み合わせで、そのような発明のいずれかを参照、教示、示唆、又は開示することを容認するものでもない。更には、本文書における用語のいずれかの意味又は定義が、参照により組み込まれる文献における同一の用語の、いずれかの意味又は定義と相反する限りにおいて、本文書においてその用語に与えられた意味又は定義を優先するものとする。
【０１６５】
本発明の特定の実施形態が例示され、説明されてきたが、本発明の趣旨及び範囲から逸脱することなく、他の様々な変更及び修正を実施できることが、当業者には明白であろう。したがって、本発明の範囲内にある、そのような変更及び修正の全てを、添付の「特許請求の範囲」で扱うものとする。
【図１】
2013513722.tif 000017
【国際調査報告】
2013513722.tif 000018
2013513722.tif 000019
2013513722.tif 000020
2013513722.tif 000021
2013513722.tif 000022
2013513722.tif 000023